(57)【要約】  本出願は、ランダムアクセス方法、端末、およびネットワークデバイスを提供する。ランダムアクセス方法は、ランダムアクセスのために使用されるリソースが、ダウンリンク信号を受信するために使用されるリソースと競合するかどうかを端末によって決定することと、ランダムアクセスのために使用されるリソースが、ダウンリンク信号のために使用されるリソースと競合する場合、ランダムアクセスのためではなく、ダウンリンク信号を受信するために、競合するランダムアクセスリソースを優先的に使用することと、を含む。このことは、ダウンリンク信号の受信と、アップリンクランダムアクセスプリアンブルの送信との間の競合を回避する。
2020529756.tif 000002
【特許請求の範囲】
【請求項１】
通信システムのためのランダムアクセス方法であって、
ランダムアクセスリソースについての時間位置情報、およびダウンリンク信号についての時間位置情報に基づいて、実際に利用可能なランダムアクセスリソースを決定するステップであって、前記実際に利用可能なランダムアクセスリソースについての時間位置は、前記ダウンリンク信号についての前記時間位置と重なり合わない、ステップと、
前記実際に利用可能なランダムアクセスリソースに基づいて、ランダムアクセスプリアンブルをネットワークデバイスに送信するステップと
を含む、方法。
【請求項２】
ランダムアクセス構成インデックスを受信し、前記ランダムアクセス構成インデックスに基づいて、前記ランダムアクセスリソースについての前記時間位置情報を取得するステップ
をさらに含む、請求項1に記載の方法。
【請求項３】
ランダムアクセスプリアンブルサブキャリア間隔を取得し、前記ランダムアクセスプリアンブルサブキャリア間隔に基づいて、前記ランダムアクセスリソースについての前記時間位置情報を決定するステップ
をさらに含む、請求項1または2に記載の方法。
【請求項４】
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースを使用せずに前記ランダムアクセスプリアンブルを送信するステップ
をさらに含む、請求項1から3のいずれか一項に記載の方法。
【請求項５】
前記ダウンリンク信号についての前記時間位置と前記ランダムアクセスリソースについての前記時間位置が重なり合うと決定される場合、前記ダウンリンク信号のために前記重なり合うリソースを優先的に使用するステップ
をさらに含む、請求項1から4のいずれか一項に記載の方法。
【請求項６】
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソースも使用せずに前記ランダムアクセスプリアンブルを送信するステップ
をさらに含む、請求項1から5のいずれか一項に記載の方法。
【請求項７】
前記ダウンリンク信号についての前記時間位置と前記ランダムアクセスリソースについての前記時間位置が重なり合うかどうかを決定するステップと、
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースが利用不可であると決定するステップと
をさらに含む、請求項1から6のいずれか一項に記載の方法。
【請求項８】
前記ダウンリンク信号についての前記時間位置と時間位置が重なり合う前記ランダムアクセスリソースをパンクチャするステップ、または
前記ダウンリンク信号についての前記時間位置と時間位置が重なり合う前記ランダムアクセスリソース、および前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置する前記スロット内にある全てのランダムアクセスリソースをパンクチャするステップ、または
前記ダウンリンク信号についての前記時間位置と時間位置が重なり合う前記ランダムアクセスリソースが位置する前記スロット内の全てのランダムアクセスリソースをパンクチャするステップ
をさらに含む、請求項1から7のいずれか一項に記載の方法。
【請求項９】
前記ランダムアクセスリソースについての前記時間位置情報は、直交周波数分割多重OFDMシンボル、ミニスロット、スロット、サブフレーム、または持続期間がH個の基本時間ユニットである時間セグメント、のうちの1つまたは複数を含み、Hは0より大きい、請求項1から8のいずれか一項に記載の方法。
【請求項１０】
前記ランダムアクセスリソースが位置する前記スロットは、サブキャリア間隔に関連がある、請求項1から9のいずれか一項に記載の方法。
【請求項１１】
ダウンリンク信号指示情報および/またはダウンリンク信号セット周期性情報を受信するステップ、ならびに前記ダウンリンク信号についての前記時間位置情報を取得するステップ
をさらに含む、請求項1から10のいずれか一項に記載の方法。
【請求項１２】
前記ダウンリンク信号についての前記時間位置情報は、スロット、直交周波数分割多重OFDMシンボル、またはアップリンクもしくはダウンリンクガード期間、の1つまたは複数を含む、請求項1から11のいずれか一項に記載の方法。
【請求項１３】
前記実際に利用可能なランダムアクセスリソースに基づいて、ランダムアクセスプリアンブルをネットワークデバイスに送信する前記ステップは、
前記実際に利用可能なランダムリソース、およびダウンリンク信号とランダムアクセスリソースとの間の関連付け関係に基づいて、前記ダウンリンク信号に対応する対象ランダムアクセスリソースを決定し、前記対象ランダムアクセスリソースを使用することによって、前記ランダムアクセスプリアンブルを前記ネットワークデバイスに送信するステップ
を含む、請求項1から12のいずれか一項に記載の方法。
【請求項１４】
構成情報を受信するステップであって、前記ランダムアクセスリソースが位置する前記スロットが、ランダムアクセスメッセージ1のサブキャリア間隔に関連があること、前記ランダムアクセスリソースが位置する前記スロットが、ランダムアクセスメッセージ3のサブキャリア間隔に関連があること、前記ランダムアクセスリソースが位置する前記スロットが、アップリンク初期アクセス帯域幅のサブキャリア間隔に関連があること、前記ランダムアクセスリソースが位置する前記スロットが、ダウンリンク信号のサブキャリア間隔に関連があること、または前記ランダムアクセスリソースが位置する前記スロットの長さ、のうちの1つまたは複数を前記構成情報が示す、ステップ
をさらに含む、請求項1から13のいずれか一項に記載の方法。
【請求項１５】
前記ダウンリンク信号は、同期信号ブロックである、請求項1から14のいずれか一項に記載の方法。
【請求項１６】
セミ・パーシステント・スケジューリング信号についての時間位置と前記ランダムアクセスリソースについての前記時間位置が重なり合うと決定される場合、ランダムアクセスのために前記重なり合うリソースを優先的に使用するステップをさらに含む、請求項1から15のいずれか一項に記載の方法。
【請求項１７】
前記セミ・パーシステント・スケジューリング信号についての前記時間位置と前記ランダムアクセスリソースについての前記時間位置が重なり合うと決定される場合、前記ランダムアクセスリソースについての前記時間位置と時間位置が重なり合う前記セミ・パーシステント・スケジューリング信号をパンクチャするステップをさらに含む、請求項1から16のいずれか一項に記載の方法。
【請求項１８】
通信システムのためのランダムアクセス方法であって、
ランダムアクセスリソースについての時間位置情報、およびダウンリンク信号についての時間位置情報に基づいて、実際に利用可能なランダムアクセスリソースを決定するステップであって、前記実際に利用可能なランダムアクセスリソースについての時間位置は、前記ダウンリンク信号についての前記時間位置と重なり合わない、ステップと、
前記実際に利用可能なランダムアクセスリソースに基づいて、端末によって送信されたランダムアクセスプリアンブルを受信するステップと
を含む、方法。
【請求項１９】
ランダムアクセス構成インデックスを送信するステップであって、前記ランダムアクセス構成インデックスは、前記ランダムアクセスリソースについての前記時間位置情報を示すために使用される、ステップをさらに含む、請求項18に記載の方法。
【請求項２０】
ランダムアクセスプリアンブルサブキャリア間隔を送信するステップであって、前記ランダムアクセスプリアンブルサブキャリア間隔は、前記ランダムアクセスリソースについての前記時間位置情報を示すために使用される、ステップをさらに含む、請求項18または19に記載の方法。
【請求項２１】
前記ダウンリンク信号についての前記時間位置と前記ランダムアクセスリソースについての前記時間位置が重なり合うと決定される場合、前記重なり合うリソース上で前記ランダムアクセスプリアンブルを受信しないステップ
をさらに含む、請求項18から20のいずれか一項に記載の方法。
【請求項２２】
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソース上でも前記ランダムアクセスプリアンブルを受信しないステップをさらに含む、請求項18から21のいずれか一項に記載の方法。
【請求項２３】
前記ランダムアクセスリソースについての前記時間位置情報は、直交周波数分割多重OFDMシンボル、ミニスロット、スロット、サブフレーム、または持続期間がH個の基本時間ユニットである時間セグメント、のうちの1つまたは複数を含み、Hは0より大きい、請求項18から22のいずれか一項に記載の方法。
【請求項２４】
前記ランダムアクセスリソースが位置する前記スロットは、サブキャリア間隔に関連がある、請求項18から23のいずれか一項に記載の方法。
【請求項２５】
ダウンリンク信号指示情報および/またはダウンリンク信号セット周期性情報を送信するステップであって、前記ダウンリンク信号指示情報または前記ダウンリンク信号セット周期性情報は、前記ダウンリンク信号についての前記時間位置情報を示すために使用される、ステップ
を含む、請求項18から24のいずれか一項に記載の方法。
【請求項２６】
前記ダウンリンク信号についての前記時間位置情報は、スロット、直交周波数分割多重OFDMシンボル、またはアップリンクもしくはダウンリンクガード期間、のうちの1つまたは複数を含む、請求項18から25のいずれか一項に記載の方法。
【請求項２７】
構成情報を送信するステップであって、前記ランダムアクセスリソースが位置する前記スロットが、ランダムアクセスメッセージ1のサブキャリア間隔に関連があること、前記ランダムアクセスリソースが位置する前記スロットが、ランダムアクセスメッセージ3のサブキャリア間隔に関連があること、前記ランダムアクセスリソースが位置する前記スロットが、アップリンク初期アクセス帯域幅のサブキャリア間隔に関連があること、前記ランダムアクセスリソースが位置する前記スロットが、ダウンリンク信号のサブキャリア間隔に関連があること、または前記ランダムアクセスリソースが位置する前記スロットの長さ、のうちの1つまたは複数を前記構成情報が示す、ステップ
を含む、請求項18から26のいずれか一項に記載の方法。
【請求項２８】
前記ダウンリンク信号は、同期信号ブロックである、請求項18から27のいずれか一項に記載の方法。
【請求項２９】
セミ・パーシステント・スケジューリング信号についての時間位置と前記ランダムアクセスリソースについての前記時間位置が重なり合うと決定される場合、ランダムアクセスのために前記重なり合うリソースを優先的に使用するステップをさらに含む、請求項18から28のいずれか一項に記載の方法。
【請求項３０】
通信システムのための装置であって、
ランダムアクセスリソースについての時間位置情報、およびダウンリンク信号についての時間位置情報に基づいて、実際に利用可能なランダムアクセスリソースを決定するように構成された決定モジュールであって、前記実際に利用可能なランダムアクセスリソースについての時間位置は、前記ダウンリンク信号についての前記時間位置と重なり合わない、決定モジュールと、
前記実際に利用可能なランダムアクセスリソースに基づいて、ランダムアクセスプリアンブルをネットワークデバイスに送信するように構成された送信モジュールと
を備える、装置。
【請求項３１】
ランダムアクセス構成インデックスを受信することを行うように構成された受信モジュールをさらに備え、
前記決定モジュールは、前記ランダムアクセス構成インデックスに基づいて、前記ランダムアクセスリソースについての前記時間位置情報を取得するように構成される
請求項30に記載の装置。
【請求項３２】
ランダムアクセスプリアンブルサブキャリア間隔を取得することを行うように構成された前記受信モジュールをさらに備え、
前記決定モジュールは、前記ランダムアクセスプリアンブルサブキャリア間隔に基づいて、前記ランダムアクセスリソースについての前記時間位置情報を決定するように構成される
請求項30または31に記載の装置。
【請求項３３】
前記決定モジュールは、
前記ダウンリンク信号についての前記時間位置と前記ランダムアクセスリソースについての前記時間位置が重なり合うと決定する場合、前記ダウンリンク信号についての前記時間位置と時間位置が重なり合う前記ランダムアクセスリソースを使用せずに前記ランダムアクセスプリアンブルを送信することを決定すること
を行うように構成される、請求項30から32のいずれか一項に記載の装置。
【請求項３４】
前記決定モジュールは、
前記ダウンリンク信号についての前記時間位置と前記ランダムアクセスリソースについての前記時間位置が重なり合うと決定する場合、前記ダウンリンク信号のために前記重なり合うリソースを優先的に使用することを決定すること
を行うように構成される、請求項30から33のいずれか一項に記載の装置。
【請求項３５】
前記決定モジュールは、
前記ダウンリンク信号についての前記時間位置と前記ランダムアクセスリソースについての前記時間位置が重なり合うと決定する場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソースも使用せずに前記ランダムアクセスプリアンブルを送信することを決定すること
を行うように構成される、請求項30から34のいずれか一項に記載の装置。
【請求項３６】
前記決定モジュールは、
前記ダウンリンク信号についての前記時間位置と前記ランダムアクセスリソースについての前記時間位置が重なり合うかどうかを決定することと、
前記ダウンリンク信号についての前記時間位置と前記ランダムアクセスリソースについての前記時間位置が重なり合うと決定する場合、前記ダウンリンク信号についての前記時間位置と時間位置が重なり合う前記ランダムアクセスリソースが利用不可であると決定することと
を行うように構成される、請求項30から35のいずれか一項に記載の装置。
【請求項３７】
前記決定モジュールは、
前記ダウンリンク信号についての前記時間位置と時間位置が重なり合う前記ランダムアクセスリソースをパンクチャすることを決定すること、または
前記ダウンリンク信号についての前記時間位置と時間位置が重なり合う前記ランダムアクセスリソース、および前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置する前記スロット内にある全てのランダムアクセスリソースをパンクチャすることを決定すること、または
前記ダウンリンク信号についての前記時間位置と時間位置が重なり合う前記ランダムアクセスリソースが位置する前記スロット内の全てのランダムアクセスリソースをパンクチャすることを決定すること
を行うように構成される、請求項30から36のいずれか一項に記載の装置。
【請求項３８】
前記ランダムアクセスリソースについての前記時間位置情報は、前記ランダムアクセスリソースが位置するサブフレーム、スロット、または直交周波数分割多重シンボルを含む、請求項30から37のいずれか一項に記載の装置。
【請求項３９】
前記ランダムアクセスリソースが位置する前記スロットは、サブキャリア間隔に関連がある、請求項30から38のいずれか一項に記載の装置。
【請求項４０】
前記受信モジュールは、
ダウンリンク信号指示情報および/またはダウンリンク信号セット周期性情報を受信すること、ならびに前記ダウンリンク信号についての前記時間位置情報を取得すること
を行うように構成される、請求項31から39のいずれか一項に記載の装置。
【請求項４１】
前記ダウンリンク信号についての前記時間位置情報は、直交周波数分割多重OFDMシンボル、ミニスロット、スロット、サブフレーム、または持続期間がH個の基本時間ユニットである時間セグメント、のうちの1つまたは複数を含み、Hは0より大きい、請求項30から40のいずれか一項に記載の装置。
【請求項４２】
前記決定モジュールは、
前記実際に利用可能なランダムリソース、およびダウンリンク信号とランダムアクセスリソースとの間の関連付け関係に基づいて、前記ダウンリンク信号に対応する対象ランダムアクセスリソースを決定すること
を行うように構成され、
前記送信モジュールは、前記対象ランダムアクセスリソースを使用することによって、前記ランダムアクセスプリアンブルを前記ネットワークデバイスに送信するように構成される、
請求項30から41のいずれか一項に記載の装置。
【請求項４３】
前記受信モジュールは、
構成情報を受信することであって、前記ランダムアクセスリソースが位置する前記スロットが、ランダムアクセスメッセージ1のサブキャリア間隔に関連があること、前記ランダムアクセスリソースが位置する前記スロットが、ランダムアクセスメッセージ3のサブキャリア間隔に関連があること、前記ランダムアクセスリソースが位置する前記スロットが、アップリンク初期アクセス帯域幅のサブキャリア間隔に関連があること、前記ランダムアクセスリソースが位置する前記スロットが、ダウンリンク信号のサブキャリア間隔に関連があること、または前記ランダムアクセスリソースが位置する前記スロットの長さ、のうちの1つまたは複数を前記構成情報が示す、受信すること
を行うように構成される、請求項30から42のいずれか一項に記載の装置。
【請求項４４】
前記ダウンリンク信号は、同期信号ブロックである、請求項30から43のいずれか一項に記載の装置。
【請求項４５】
前記決定モジュールは、
セミ・パーシステント・スケジューリング信号についての時間位置と前記ランダムアクセスリソースについての前記時間位置が重なり合うと決定する場合、ランダムアクセスのために前記重なり合うリソースを優先的に使用することを決定すること
を行うように構成される、請求項30から44のいずれか一項に記載の装置。
【請求項４６】
前記決定モジュールは、
前記セミ・パーシステント・スケジューリング信号についての前記時間位置と前記ランダムアクセスリソースについての前記時間位置が重なり合うと決定する場合、前記ランダムアクセスリソースについての前記時間位置と時間位置が重なり合う前記セミ・パーシステント・スケジューリング信号をパンクチャすることを決定すること
を行うように構成される、請求項30から44のいずれか一項に記載の装置。
【請求項４７】
通信システムのための装置であって、
ランダムアクセスリソースについての時間位置情報、およびダウンリンク信号についての時間位置情報に基づいて、実際に利用可能なランダムアクセスリソースを決定するように構成された決定モジュールであって、前記実際に利用可能なランダムアクセスリソースについての時間位置は、前記ダウンリンク信号についての前記時間位置と重なり合わない、決定モジュールと、
前記実際に利用可能なランダムアクセスリソースに基づいて、端末によって送信されたランダムアクセスプリアンブルを受信するように構成された受信モジュールと
を備える、装置。
【請求項４８】
ランダムアクセス構成インデックスを送信することであって、前記ランダムアクセス構成インデックスは、前記ランダムアクセスリソースについての前記時間位置情報を示すために使用される、送信すること
を行うように構成された送信モジュールをさらに備える、
請求項47に記載の装置。
【請求項４９】
ランダムアクセスプリアンブルサブキャリア間隔を送信することであって、前記ランダムアクセスプリアンブルサブキャリア間隔は、前記ランダムアクセスリソースについての前記時間位置情報を示すために使用される、送信すること
を行うように構成される前記送信モジュールをさらに備える
請求項47または48に記載の装置。
【請求項５０】
前記決定モジュールは、
前記ダウンリンク信号についての前記時間位置と前記ランダムアクセスリソースについての前記時間位置が重なり合うと決定する場合、前記重なり合うリソース上で前記ランダムアクセスプリアンブルを受信しないことを決定すること
を行うように構成される、請求項47から49のいずれか一項に記載の装置。
【請求項５１】
前記送信モジュールは、
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソース上でも前記ランダムアクセスプリアンブルを受信しないこと
を行うように構成される、請求項47から50のいずれか一項に記載の装置。
【請求項５２】
前記ランダムアクセスリソースについての前記時間位置情報は、直交周波数分割多重OFDMシンボル、ミニスロット、スロット、サブフレーム、または持続期間がH個の基本時間ユニットである時間セグメント、のうちの1つまたは複数を含み、Hは0より大きい、請求項47から51のいずれか一項に記載のネットワークデバイス。
【請求項５３】
前記ランダムアクセスリソースが位置する前記スロットは、サブキャリア間隔に関連がある、請求項46から52のいずれか一項に記載のネットワークデバイス。
【請求項５４】
前記送信モジュールは、
ダウンリンク信号指示情報および/またはダウンリンク信号セット周期性情報を送信することであって、前記ダウンリンク信号指示情報または前記ダウンリンク信号セット周期性情報は、前記ダウンリンク信号についての前記時間位置情報を示すために使用される、送信すること
を行うように構成される、請求項46から53のいずれか一項に記載のネットワークデバイス。
【請求項５５】
前記ダウンリンク信号についての前記時間位置情報は、スロット、直交周波数分割多重OFDMシンボル、またはアップリンクもしくはダウンリンクガード期間、のうちの1つまたは複数を含む、請求項46から54のいずれか一項に記載のネットワークデバイス。
【請求項５６】
前記送信モジュールは、
構成情報を送信することであって、前記ランダムアクセスリソースが位置する前記スロットが、ランダムアクセスメッセージ1のサブキャリア間隔に関連があること、前記ランダムアクセスリソースが位置する前記スロットが、ランダムアクセスメッセージ3のサブキャリア間隔に関連があること、前記ランダムアクセスリソースが位置する前記スロットが、アップリンク初期アクセス帯域幅のサブキャリア間隔に関連があること、前記ランダムアクセスリソースが位置する前記スロットが、ダウンリンク信号のサブキャリア間隔に関連があること、または前記ランダムアクセスリソースが位置する前記スロットの長さ、のうちの1つまたは複数を前記構成情報が示す、送信すること
を行うように構成され、請求項47から55のいずれか一項に記載のネットワークデバイス。
【請求項５７】
前記ダウンリンク信号は、同期信号ブロックである、請求項46から56のいずれか一項に記載のネットワークデバイス。
【請求項５８】
前記決定モジュールは、
セミ・パーシステント・スケジューリング信号についての時間位置と前記ランダムアクセスリソースについての前記時間位置が重なり合うと決定する場合、ランダムアクセスのために前記重なり合うリソースを優先的に使用することを決定すること
を行うように構成される、請求項46から57のいずれか一項に記載のネットワークデバイス。
【請求項５９】
通信システムのためのランダムアクセス方法であって、
ランダムアクセスリソース、およびセミ・パーシステント・スケジューリング信号のために使用されるリソースを取得するステップと、
前記セミ・パーシステント・スケジューリング信号のために使用される前記リソースと前記ランダムアクセスリソースが重なり合うかどうかを決定するステップと、
前記セミ・パーシステント・スケジューリング信号のために使用される前記リソースと前記ランダムアクセスリソースが重なり合う場合、ランダムアクセスのために前記重なり合うリソースを優先的に使用するステップと
を含む、方法。
【請求項６０】
通信システムのためのランダムアクセス方法であって、
ランダムアクセスリソース、およびダウンリンク信号のために使用されるリソースを取得するステップと、
前記ダウンリンク信号のために使用される前記リソースと前記ランダムアクセスリソースが重なり合うかどうかを決定するステップと、
前記ダウンリンク信号のために使用される前記リソースと前記ランダムアクセスリソースが重なり合う場合、前記ダウンリンク信号のために前記重なり合うリソースを優先的に使用するステップと
を含む、方法。
【請求項６１】
前記ダウンリンク信号は、同期信号ブロック、システム情報ブロック、残りの最小システム情報、新無線システム情報ブロック1 NR SIB1、新無線システム情報ブロック0 NR SIB0、半静的構成ダウンリンクサブフレーム、半静的構成スロット、半静的構成OFDMシンボル、または予約ダウンリンク信号、のうちの1つまたは複数である、請求項60に記載の方法。
【請求項６２】
請求項1から17または請求項18から29、または請求項59から61のいずれか一項に記載の方法を行うように構成された装置。
【請求項６３】
プロセッサおよびメモリを備え、前記メモリがプログラムを格納し、前記プロセッサは、請求項1から17、または請求項18から29、または請求項59から61のいずれか一項に記載の方法が行われるように前記プログラムを実行するように構成される、通信装置。
【請求項６４】
コンピュータ可読記録媒体であって、前記コンピュータ可読記録媒体が命令を格納し、前記命令がコンピュータ上で実行されると、前記コンピュータは、請求項1から17のいずれか一項に記載の方法を行うことを可能にされ、または前記コンピュータは、請求項18から29のいずれか一項に記載の方法を行うことを可能にされる、コンピュータ可読記録媒体。
【請求項６５】
コンピュータプログラム製品であって、前記コンピュータプログラム製品がコンピュータ上で実行されると、前記コンピュータは、請求項1から17のいずれか一項に記載の方法を行うことを可能にされ、または前記コンピュータは、請求項18から29のいずれか一項に記載の方法を行うことを可能にされる、コンピュータプログラム製品。
【請求項６６】
請求項30から45のいずれか一項に記載の通信装置、および請求項46から58のいずれか一項に記載のネットワークデバイスを備える通信システム。
【発明の詳細な説明】
【技術分野】
【０００１】
本出願は、全体として参照により本明細書に組み込まれる、2017年11月17日に中国特許庁に出願の「RANDOM ACCESS METHOD, TERMINAL, AND NETWORK DEVICE」という名称の中国特許出願第201711149117.6号に基づき優先権を主張する。
【０００２】
本出願はワイヤレス通信分野に関し、詳細には、ランダムアクセス方法、端末、およびネットワークデバイスに関する。
【背景技術】
【０００３】
新無線(New Radio、NR)技術において、基地局は、複数のビームを使用することによってダウンリンク信号を送信する。ダウンリンク信号は、ダウンリンク同期信号ブロック(synchronization/PBCH signal block、SS/PBCH block)、システム情報ブロック、残りの最小システム情報、システム情報ブロック1 NR SIB1、システム情報ブロック0 NR SIB0、半静的構成ダウンリンクサブフレームおよび/もしくはスロットおよび/もしくはOFDMシンボル、予約ダウンリンク信号(reserved downlink signal)、ダウンリンク復調用参照信号(Demodulation Reference Signal、DMRS)、またはダウンリンクチャネル状態情報-参照信号(Channel state information-reference signal、CSI-RS)でありうる。具体的には、基地局は、複数のビームを使用することによってセルをカバーする。基地局と端末の間の通信中、通信を行うために適切なビーム方向が必要とされる。基地局は、端末によって送信されたランダムアクセスプリアンブルを受信すること、ランダムアクセスレスポンスを端末に送信すること、および同様のことを行うための適切なビーム方向を必要とする。ダウンリンク信号は、時分割方式で送信される。具体的には、異なるダウンリンク信号が、異なる時間期間の中で送信され、端末によって送信されたランダムアクセスプリアンブルも、異なる時間期間の中で受信される。さらに、NR技術において、1つのダウンリンク信号セット内のダウンリンク信号の最大個数は、異なる周波数帯域に応じて異なり得る。例えば、3ギガヘルツ(GHz)未満では、1つのダウンリンク信号セット内のダウンリンク信号の最大個数は4であり、3GHz〜6GHzでは、1つのダウンリンク信号セット内のダウンリンク信号の最大個数は8であり、6GHzを超えると、1つのダウンリンク信号セット内のダウンリンク信号の最大個数は64である。ダウンリンク信号セット内の全てのダウンリンク信号は、5ミリ秒(ms)のウィンドウの中で異なるスロット、および直交周波数分割多重(orthogonal frequency division multiplexing、OFDM)シンボルにマッピングされる。
【０００４】
具体的には、ダウンリンク信号セットは周期的に送信され、ダウンリンク信号セット内の実際に送信されたダウンリンク信号の個数は、最大個数でないことがある。例えば、6GHz未満では、8つのダウンリンク信号が実際に送信されるかどうかを示すために8ビットが使用され、6GHzを超えると、ダウンリンク信号が実際に送信されるかどうかは、8+8の方式で示され、すなわち、64個のダウンリンク信号が8つのグループに分割され、各グループは8つのダウンリンク信号を含み、各グループ内のダウンリンク信号が送信されるかどうかを示すために8ビットが使用され、8つのダウンリンク信号セットが送信されるかどうかを示すために他の8ビットが使用される。
【０００５】
しかし、NR技術におけるダウンリンク信号セットを送信するための期間は比較的短い。最小期間は5msであることがある。すなわち、ダウンリンク信号は、１つのシステムフレーム内のほぼ全てのスロットにおいて送信されうる。それに応じて、端末によって送信されるランダムアクセスプリアンブルは、アップリンク時間の中で構成され、したがって、基地局がダウンリンク信号を送信する時間は、アップリンクランダムアクセスプリアンブルを端末が送信する時間と競合する可能性がある。
【発明の概要】
【課題を解決するための手段】
【０００６】
本出願は、基地局がダウンリンク信号を送信する時間が、端末がアップリンクランダムアクセスプリアンブルを送信する時間と競合しうる、という課題を解決するための、ランダムアクセス方法、端末、およびネットワークデバイスを提供する。
【０００７】
第1の態様によれば、本出願は、ランダムアクセス方法であって、
ランダムアクセスリソースについての時間位置情報、およびネットワークデバイスによって実際に送信されたダウンリンク信号についての時間位置情報に基づいて、実際に利用可能なランダムアクセスリソースを端末によって決定することであって、実際に利用可能なランダムアクセスリソースについての時間位置が、実際に送信されたダウンリンク信号についての時間位置と重なり合わない、決定することと、
実際に利用可能なランダムアクセスリソース、およびダウンリンク信号とランダムアクセスリソースとの間の関連付け関係に基づいて、実際に送信されたダウンリンク信号に対応する対象ランダムアクセスリソースを端末によって決定することと、
対象ランダムアクセスリソースを使用することによって、ランダムアクセスプリアンブルをネットワークデバイスに端末によって送信することと、
を含む方法を提供する。
【０００８】
第2の態様によれば、本出願は、ランダムアクセス方法であって、
実際に伝送されたダウンリンク信号についての時間位置が、ランダムアクセスリソースについての時間位置と重なり合うと決定するとき、実際に送信されたダウンリンク信号についての時間位置と時間位置が重なり合うランダムアクセスリソースをパンクチャすることを端末によって決定すること、または実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースをパンクチャすることを決定すること、または実際に送信されたダウンリンク信号についての時間位置と時間位置が重なり合うランダムアクセスリソースが位置するスロット内の全てのランダムアクセスリソースをパンクチャすることを決定すること、
を含む方法を提供する。
【０００９】
可能な設計において、ランダムアクセスリソースについての時間位置情報、およびネットワークデバイスによって実際に送信されたダウンリンク信号についての時間位置情報に基づいて、実際に利用可能なランダムアクセスリソースを端末によって決定することは、
ランダムアクセスリソースについての時間位置情報、およびネットワークデバイスによって実際に送信されたダウンリンク信号についての時間位置情報に基づいて、実際に送信されたダウンリンク信号についての時間位置と時間位置が重なり合うランダムアクセスリソースを端末によって決定することと、
実際に送信されたダウンリンク信号についての時間位置と時間位置が重なり合わないランダムアクセスリソースを、実際に利用可能なランダムアクセスリソースとして端末によって使用することと
を含む。
【００１０】
可能な設計において、実際に送信されたダウンリンク信号についての時間位置と時間位置が重なり合うランダムアクセスリソースを端末によって決定した後、方法は、
実際に送信されたダウンリンク信号についての時間位置と時間位置が重なり合うランダムアクセスリソースを端末によってパンクチャすること、または
実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースを端末によってパンクチャすること、または
実際に送信されたダウンリンク信号についての時間位置と時間位置が重なり合うランダムアクセスリソースが位置するスロット内の全てのランダムアクセスリソースを端末によってパンクチャすること
をさらに含む。
【００１１】
可能な設計において、ダウンリンク信号は、ダウンリンク同期信号ブロック、システム情報ブロック、残りの最小システム情報、新無線システム情報ブロック1 NR SIB1、新無線システム情報ブロック0 NR SIB0、半静的構成ダウンリンクサブフレーム、半静的構成スロット、半静的構成OFDMシンボル、または予約ダウンリンク信号、のうちの1つまたは複数である。
【００１２】
可能な設計において、方法は、
ネットワークデバイスによって送信された構成情報を端末によって受信することであって、ランダムアクセスリソースが位置するスロットが、ランダムアクセスメッセージ1のサブキャリア間隔に基づくこと、ランダムアクセスリソースが位置するスロットが、ランダムアクセスメッセージ3のサブキャリア間隔に基づくこと、ランダムアクセスリソースが位置するスロットが、アップリンク初期アクセス帯域幅のサブキャリア間隔に基づくこと、ランダムアクセスリソースが位置するスロットが、ダウンリンク信号のサブキャリア間隔に基づくこと、またはランダムアクセスリソースが位置するスロットの長さ、のうちの1つまたは複数を構成情報が示す、受信すること
をさらに含む。
【００１３】
可能な設計において、ダウンリンク信号についての時間位置は、ダウンリンク信号によって占有されたスロット、ダウンリンク信号によって占有されたOFDMシンボル、またはダウンリンク/アップリンクガード期間、のうちの1つまたは複数に基づいて決定され、スロットは、ダウンリンク信号のサブキャリア間隔に基づく。
【００１４】
可能な設計において、方法は、
ランダムアクセスリソースについての時間位置情報、およびセミ・パーシステント・スケジューリング信号についての時間位置情報に基づいて、ランダムアクセスリソースについての時間位置と時間位置が重なり合うセミ・パーシステント・スケジューリング信号を端末によって決定することと、
ランダムアクセスリソースについての時間位置と時間位置が重なり合うセミ・パーシステント・スケジューリング信号を、端末によってパンクチャすることと
をさらに含む。
【００１５】
可能な設計において、方法は、
ランダムアクセスリソースについての時間位置情報、およびセミ・パーシステント・スケジューリング信号についての時間位置情報に基づいて、セミ・パーシステント・スケジューリング信号についての時間位置と時間位置が重なり合うランダムアクセスリソースを端末によって決定すること、ならびに
セミ・パーシステント・スケジューリング信号についての時間位置と時間位置が重なり合うランダムアクセスリソースを端末によってパンクチャすること、または
セミ・パーシステント・スケジューリング信号についての時間位置と時間位置が重なり合うランダムアクセスリソース、およびセミ・パーシステント・スケジューリング信号についての時間位置と時間位置が重なり合うランダムアクセスリソースの前にあり、セミ・パーシステント・スケジューリング信号についての時間位置と時間位置が重なり合うランダムアクセスリソースが位置するスロット内にある全てのランダムアクセスリソースを端末によってパンクチャすること、または
セミ・パーシステント・スケジューリング信号についての時間位置と時間位置が重なり合うランダムアクセスリソースが位置するスロット内の全てのランダムアクセスリソースを端末によってパンクチャすること、
をさらに含む。
【００１６】
可能な設計において、方法は、
パンクチャされたランダムアクセスリソースが位置するアップリンクスロットの前もしくは後にあるK番目のアップリンクスロット内に新しいランダムアクセスリソースを端末によって追加し、新しいランダムアクセスリソースを、実際に利用可能なランダムアクセスリソースとして使用することであって、Kが予めセットされた定数、もしくは予め構成された定数である、使用すること、または、
実際に送信されたダウンリンク信号の位置と位置が重なり合わないランダムアクセスリソースが位置するアップリンクスロットの周波数ドメイン位置における新しいランダムアクセスリソースを端末によって追加し、新しいランダムアクセスリソースを、実際に利用可能なランダムアクセスリソースとして使用すること、または
実際に送信されたダウンリンク信号の位置と位置が重なり合わないランダムアクセスリソースが位置するアップリンクスロットの他の直交周波数分割多重OFDMシンボルにおける新しいランダムアクセスリソースを端末によって追加し、新しいランダムアクセスリソースを、実際に利用可能なランダムアクセスリソースとして使用すること
をさらに含む。
【００１７】
可能な設計において、方法は、
ランダムアクセスプリアンブルフォーマットに基づいてパンクチャされたランダムアクセスリソースの個数、および実際に送信されたダウンリンク信号とランダムアクセスリソースとの間にあり、ランダムアクセスリソースが位置するスロット内にある重なり合うOFDMシンボルの個数を端末によって決定すること
をさらに含む。
【００１８】
可能な設計において、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを端末によって決定する前に、方法は、
ダウンリンク信号とランダムアクセスリソースとの間の新しい関連付け関係を取得するために、実際に送信されたダウンリンク信号、および実際に利用可能なランダムアクセスリソースに基づいて、ダウンリンク信号とランダムアクセスリソースとの間の関連付け関係を端末によって更新すること
をさらに含む。
【００１９】
第3の態様によれば、本出願は、ランダムアクセス方法であって、
ランダムアクセスリソースについての時間位置情報、およびネットワークデバイスによって実際に送信されたダウンリンク信号についての時間位置情報に基づいて、実際に利用可能なランダムアクセスリソースをネットワークデバイスによって決定することであって、実際に利用可能なランダムアクセスリソースについての時間位置は、実際に送信されたダウンリンク信号についての時間位置と重なり合わない、決定することと、
実際に利用可能なランダムアクセスリソース、およびダウンリンク信号とランダムアクセスリソースとの間の関連付け関係に基づいて、実際に送信されたダウンリンク信号に対応する対象ランダムアクセスリソースをネットワークデバイスによって決定することと、
実際に送信されたダウンリンク信号に対応する対象ランダムアクセスリソースに基づいて、端末によって送信されたランダムアクセスプリアンブルをネットワークデバイスによって受信することと
を含む方法を提供する。
【００２０】
可能な設計において、ランダムアクセスリソースについての時間位置情報、およびネットワークデバイスによって実際に送信されたダウンリンク信号についての時間位置情報に基づいて、実際に利用可能なランダムアクセスリソースをネットワークデバイスによって決定することは、
ランダムアクセスリソースについての時間位置情報、およびネットワークデバイスによって実際に送信されたダウンリンク信号についての時間位置情報に基づいて、実際に送信されたダウンリンク信号についての時間位置と時間位置が重なり合うランダムアクセスリソースをネットワークデバイスによって決定することと、
実際に送信されたダウンリンク信号についての時間位置と時間位置が重なり合わないランダムアクセスリソースを、実際に利用可能なランダムアクセスリソースとしてネットワークデバイスによって使用することと
を含む。
【００２１】
可能な設計において、ダウンリンク信号は、ダウンリンク同期信号ブロック、システム情報ブロック、残りの最小システム情報、新無線システム情報ブロック1 NR SIB1、新無線システム情報ブロック0 NR SIB0、半静的構成ダウンリンクサブフレーム、半静的構成スロット、半静的構成OFDMシンボル、または予約ダウンリンク信号、のうちの1つまたは複数である。
【００２２】
可能な設計において、方法は、
構成情報を端末にネットワークデバイスによって送信することであって、ランダムアクセスリソースが位置するスロットが、ランダムアクセスメッセージ1のサブキャリア間隔に基づくこと、ランダムアクセスリソースが位置するスロットが、ランダムアクセスメッセージ3のサブキャリア間隔に基づくこと、ランダムアクセスリソースが位置するスロットが、アップリンク初期アクセス帯域幅のサブキャリア間隔に基づくこと、ランダムアクセスリソースが位置するスロットが、ダウンリンク信号のサブキャリア間隔に基づくこと、またはランダムアクセスリソースが位置するスロットの長さ、のうちの1つまたは複数を構成情報が示す、送信すること
をさらに含む。
【００２３】
可能な設計において、ダウンリンク信号についての時間位置は、ダウンリンク信号によって占有されたスロット、ダウンリンク信号によって占有されたOFDMシンボル、またはダウンリンク/アップリンクガード期間、のうちの1つまたは複数に基づいて決定され、スロットは、ダウンリンク信号のサブキャリア間隔に基づく。
【００２４】
可能な設計において、方法は、
ランダムアクセスリソースについての時間位置情報、およびセミ・パーシステント・スケジューリング信号についての時間位置情報に基づいて、ランダムアクセスリソースについての時間位置と時間位置が重なり合うセミ・パーシステント・スケジューリング信号をネットワークデバイスによって決定すること
をさらに含む。
【００２５】
可能な設計において、実際に利用可能なランダムアクセスリソース、およびダウンリンク信号とランダムアクセスリソースとの間の関連付け関係に基づいて、実際に送信されたダウンリンク信号に対応する対象ランダムアクセスリソースをネットワークデバイスによって決定する前に、方法は、
ダウンリンク信号とランダムアクセスリソースとの間の新しい関連付け関係を取得するために、実際に送信されたダウンリンク信号、および実際に利用可能なランダムアクセスリソースに基づいて、ダウンリンク信号とランダムアクセスリソースとの間の関連付け関係をネットワークデバイスによって更新すること
をさらに含む。
【００２６】
第4の態様によれば、本出願はランダムアクセス方法であって、
実際に伝送されたダウンリンク信号についての時間位置が、ランダムアクセスリソースについての時間位置と重なり合うと決定するとき、実際に送信されたダウンリンク信号についての時間位置と時間位置が重なり合うランダムアクセスリソースをパンクチャすることをネットワークデバイスによって決定すること、または実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースをパンクチャすることを決定すること、または実際に送信されたダウンリンク信号についての時間位置と時間位置が重なり合うランダムアクセスリソースが位置するスロット内の全てのランダムアクセスリソースをパンクチャすることを決定すること
を含む方法を提供する。
【００２７】
第5の態様によれば、本出願は、端末であって、
ランダムアクセスリソースについての時間位置情報、およびネットワークデバイスによって実際に送信されたダウンリンク信号についての時間位置情報に基づいて、実際に利用可能なランダムアクセスリソースを決定することであって、実際に利用可能なランダムアクセスリソースについての時間位置は、実際に送信されたダウンリンク信号についての時間位置と重なり合わない、決定すること、ならびに実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定すること、を行うように構成された決定モジュールと、
対象ランダムアクセスリソースを使用することによって、ランダムアクセスプリアンブルをネットワークデバイスに送信するように構成された送信モジュールと
を含む端末を提供する。
【００２８】
第6の態様によれば、本出願は、端末であって、
実際に伝送されたダウンリンク信号についての時間位置は、ランダムアクセスリソースについての時間位置と重なり合うと決定するとき、実際に送信されたダウンリンク信号についての時間位置と時間位置が重なり合うランダムアクセスリソースをパンクチャすることを決定すること、または実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースをパンクチャすることを決定すること、または実際に送信されたダウンリンク信号についての時間位置と時間位置が重なり合うランダムアクセスリソースが位置するスロット内の全てのランダムアクセスリソースをパンクチャすることを決定すること、を行うように構成された決定モジュール
を含む端末を提供する。
【００２９】
可能な設計において、決定モジュールは、ランダムアクセスリソースについての時間位置情報、およびネットワークデバイスによって実際に送信されたダウンリンク信号についての時間位置情報に基づいて、実際に送信されたダウンリンク信号についての時間位置と時間位置が重なり合うランダムアクセスリソースを決定すること、ならびに実際に送信されたダウンリンク信号についての時間位置と時間位置が重なり合わないランダムアクセスリソースを、実際に利用可能なランダムアクセスリソースとして使用することを決定すること、を行うように特に構成される。
【００３０】
可能な設計において、決定モジュールは、実際に送信されたダウンリンク信号についての時間位置と時間位置が重なり合うランダムアクセスリソースをパンクチャすることを決定すること、または実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースをパンクチャすることを決定すること、または実際に送信されたダウンリンク信号についての時間位置と時間位置が重なり合うランダムアクセスリソースが位置するスロット内の全てのランダムアクセスリソースをパンクチャすることを決定すること、を行うようにさらに構成される。
【００３１】
可能な設計において、ダウンリンク信号は、ダウンリンク同期信号ブロック、システム情報ブロック、残りの最小システム情報、新無線システム情報ブロック1 NR SIB1、新無線システム情報ブロック0 NR SIB0、半静的構成ダウンリンクサブフレーム、半静的構成スロット、半静的構成OFDMシンボル、または予約ダウンリンク信号、のうちの1つまたは複数である。
【００３２】
可能な設計において、方法は、
ネットワークデバイスによって送信された構成情報を受信するように構成された受信モジュールであって、ランダムアクセスリソースが位置するスロットが、ランダムアクセスメッセージ1のサブキャリア間隔に基づくこと、ランダムアクセスリソースが位置するスロットが、ランダムアクセスメッセージ3のサブキャリア間隔に基づくこと、ランダムアクセスリソースが位置するスロットが、アップリンク初期アクセス帯域幅のサブキャリア間隔に基づくこと、ランダムアクセスリソースが位置するスロットが、ダウンリンク信号のサブキャリア間隔に基づくこと、またはランダムアクセスリソースが位置するスロットの長さ、のうちの1つまたは複数を構成情報が示す、受信モジュール
をさらに含む。
【００３３】
可能な設計において、ダウンリンク信号についての時間位置は、ダウンリンク信号によって占有されたスロット、ダウンリンク信号によって占有されたOFDMシンボル、またはダウンリンク/アップリンクガード期間、のうちの1つまたは複数に基づいて決定され、スロットは、ダウンリンク信号のサブキャリア間隔に基づく。
【００３４】
可能な設計において、決定モジュールは、ランダムアクセスリソースについての時間位置情報、およびセミ・パーシステント・スケジューリング信号についての時間位置情報に基づいて、ランダムアクセスリソースについての時間位置と時間位置が重なり合うセミ・パーシステント・スケジューリング信号を決定すること、およびランダムアクセスリソースについての時間位置と時間位置が重なり合うセミ・パーシステント・スケジューリング信号をパンクチャすることを決定すること、を行うようにさらに構成される。
【００３５】
可能な設計において、決定モジュールは、ランダムアクセスリソースについての時間位置情報、およびセミ・パーシステント・スケジューリング信号についての時間位置情報に基づいて、セミ・パーシステント・スケジューリング信号についての時間位置と時間位置が重なり合うランダムアクセスリソースを決定すること、ならびにセミ・パーシステント・スケジューリング信号についての時間位置と時間位置が重なり合うランダムアクセスリソースをパンクチャすることを決定すること、またはセミ・パーシステント・スケジューリング信号についての時間位置と時間位置が重なり合うランダムアクセスリソース、およびセミ・パーシステント・スケジューリング信号についての時間位置と時間位置が重なり合うランダムアクセスリソースの前にあり、セミ・パーシステント・スケジューリング信号についての時間位置と時間位置が重なり合うランダムアクセスリソースが位置するスロット内にある全てのランダムアクセスリソースをパンクチャすることを決定すること、またはセミ・パーシステント・スケジューリング信号についての時間位置と時間位置が重なり合うランダムアクセスリソースが位置するスロット内の全てのランダムアクセスリソースをパンクチャすることを決定すること、を行うようにさらに構成される。
【００３６】
可能な設計において、決定モジュールは、パンクチャされたランダムアクセスリソースが位置するアップリンクスロットの前もしくは後にあるK番目のアップリンクスロット内に新しいランダムアクセスリソースを追加し、新しいランダムアクセスリソースを、実際に利用可能なランダムアクセスリソースとして使用することを決定することであって、Kが予めセットされた定数、もしくは予め構成された定数である、決定すること、または実際に送信されたダウンリンク信号の位置と位置が重なり合わないランダムアクセスリソースが位置するアップリンクスロットの周波数ドメイン位置の中に新しいランダムアクセスリソースを追加し、新しいランダムアクセスリソースを、実際に利用可能なランダムアクセスリソースとして使用することを決定すること、または実際に送信されたダウンリンク信号の位置と位置が重なり合わないランダムアクセスリソースが位置するアップリンクスロットの他の直交周波数分割多重OFDMシンボル内に新しいランダムアクセスリソースを追加し、新しいランダムアクセスリソースを、実際に利用可能なランダムアクセスリソースとして使用すること、を決定すること、を行うようにさらに構成される。
【００３７】
可能な設計において、決定モジュールは、ランダムアクセスプリアンブルフォーマットに基づいてパンクチャされたランダムアクセスリソースの個数、および実際に送信されたダウンリンク信号とランダムアクセスリソースとの間にあり、ランダムアクセスリソースが位置するスロット内にある重なり合うOFDMシンボルの個数を決定するようにさらに構成される。
【００３８】
可能な設計において、決定モジュールは、ダウンリンク信号とランダムアクセスリソースとの間の新しい関連付け関係を取得するために、実際に送信されたダウンリンク信号、および実際に利用可能なランダムアクセスリソースに基づいて、ダウンリンク信号とランダムアクセスリソースとの間の関連付け関係を更新することを決定するようにさらに構成される。
【００３９】
第7の態様によれば、本出願は、ネットワークデバイスであって、
ランダムアクセスリソースについての時間位置情報、およびネットワークデバイスによって実際に送信されたダウンリンク信号についての時間位置情報に基づいて、実際に利用可能なランダムアクセスリソースを決定することであって、実際に利用可能なランダムアクセスリソースについての時間位置は、実際に送信されたダウンリンク信号についての時間位置と重なり合わない、決定すること、ならびに実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定すること、を行うように構成された決定モジュールと、
実際に送信されたダウンリンク信号に対応する対象ランダムアクセスリソースに基づいて、端末によって送信されたランダムアクセスプリアンブルを受信するように構成された受信モジュールと
を含むネットワークデバイスを提供する。
【００４０】
第8の態様によれば、本出願は、ネットワークデバイスであって、
実際に伝送されたダウンリンク信号についての時間位置は、ランダムアクセスリソースについての時間位置と重なり合うと決定するとき、実際に送信されたダウンリンク信号についての時間位置と時間位置が重なり合うランダムアクセスリソースをパンクチャすることを決定すること、または実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースをパンクチャすることを決定すること、または実際に送信されたダウンリンク信号についての時間位置と時間位置が重なり合うランダムアクセスリソースが位置するスロット内の全てのランダムアクセスリソースをパンクチャすることを決定すること、を行うように構成された決定モジュール
を含むネットワークデバイスを提供する。
【００４１】
第9の態様によれば、本出願は装置を提供する。装置は、プロセッサおよびメモリを含む。メモリは、プログラムを格納するように構成される。プロセッサは、本出願における第1の態様または第2の態様において提供された方法を行うために、メモリに格納されたプログラムを起動する。装置は端末であってよく、または端末上のチップであってもよい。
【００４２】
第10の態様によれば、本出願は装置を提供する。装置は、プロセッサおよびメモリを含む。メモリは、プログラムを格納するように構成される。プロセッサは、本出願における第3の態様または第4の態様において提供された方法を行うために、メモリに格納されたプログラムを起動する。装置はネットワークデバイスであってよく、またはネットワークデバイス上のチップであってもよい。
【００４３】
第11の態様によれば、本出願はコンピュータ記録媒体を提供する。コンピュータ記録媒体は、プログラムを格納するように構成される。プログラムは、第1の態様から第4の態様までによる方法のうちのいずれか1つを行うために使用される。
【００４４】
本出願において提供されるランダムアクセス方法、端末、およびネットワークデバイスによれば、端末は、ランダムアクセスリソースの位置についての情報、およびネットワークデバイスによって実際に送信されたダウンリンク信号についての時間位置情報に基づいて、実際に利用可能なランダムアクセスリソースを決定することと、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定することと、対象ランダムアクセスリソースを使用することによって、ランダムアクセスプリアンブルをネットワークデバイスにさらに送信することと、を行う。このことは、実際に送信されたダウンリンク信号と、アップリンクにおいて送信されるランダムアクセスプリアンブルとの間の競合を回避する。
【図面の簡単な説明】
【００４５】
【図１】本出願による通信システムの概略アーキテクチャ図である。
【図２】本出願の実施形態によるランダムアクセス方法の概略流れ図である。
【図３】本出願の他の実施形態によるランダムアクセス方法の概略流れ図である。
【図４】本出願によるリソース構造の概略図である。
【図５】本出願による他のリソース構造の概略図である。
【図６】本出願による他のリソース構造の概略図である。
【図７】本出願による他のリソース構造の概略図である。
【図８】本出願による他のリソース構造の概略図である。
【図９】本出願によるさらに他のリソース構造の概略図である。
【図１０】本出願による他のリソース構造の概略図である。
【図１１】本出願によるさらに他のリソース構造の概略図である。
【図１２】本出願による他のリソース構造の概略図である。
【図１３】本出願によるさらに他のリソース構造の概略図である。
【図１４】本出願による他のリソース構造の概略図である。
【図１５】本出願によるさらに他のリソース構造の概略図である。
【図１６（ａ）】本出願によるランダムアクセスプリアンブルフォーマットの概略図である。
【図１６（ｂ）】本出願によるランダムアクセスプリアンブルフォーマットの概略図である。
【図１６（ｃ）】本出願によるランダムアクセスプリアンブルフォーマットの概略図である。
【図１６（ｄ）】本出願によるランダムアクセスプリアンブルフォーマットの概略図である。
【図１６（ｅ）】本出願によるランダムアクセスプリアンブルフォーマットの概略図である。
【図１６（ｆ）】本出願によるランダムアクセスプリアンブルフォーマットの概略図である。
【図１６（ｇ）】本出願によるランダムアクセスプリアンブルフォーマットの概略図である。
【図１７（ａ）】本出願によるランダムアクセスプリアンブルフォーマットの概略図である。
【図１７（ｂ）】本出願によるランダムアクセスプリアンブルフォーマットの概略図である。
【図１７（ｃ）】本出願によるランダムアクセスプリアンブルフォーマットの概略図である。
【図１７（ｄ）】本出願によるランダムアクセスプリアンブルフォーマットの概略図である。
【図１７（ｅ）】本出願によるランダムアクセスプリアンブルフォーマットの概略図である。
【図１７（ｆ）】本出願によるランダムアクセスプリアンブルフォーマットの概略図である。
【図１７（ｇ）】本出願によるランダムアクセスプリアンブルフォーマットの概略図である。
【図１８】本出願の実施形態による端末の概略構造図である。
【図１９】本出願の他の実施形態による端末の概略構造図である。
【図２０】本出願の実施形態によるネットワークデバイスの概略構造図である。
【図２１】本出願の他の実施形態によるネットワークデバイスの概略構造図である。
【図２２】端末デバイスの簡素化した概略構造図である。
【図２３】ネットワークデバイスの簡素化した概略構造図である。
【発明を実施するための形態】
【００４６】
本出願の実施形態は、ワイヤレス通信システムに応用されうる。本出願の実施形態において言及されるワイヤレス通信システムは、狭帯域のモノのインターネット(Narrowband Internet of Things、NB-IoT)システム、グローバル・システム・フォー・モバイル・コミュニケーションズ(Global System for Mobile Communications、GSM(登録商標))、GSM進化型高速データレート(Enhanced Data rates for GSM Evolution、EDGE)システム、広帯域符号分割多元接続(Wideband Code Division Multiple Access、WCDMA(登録商標))システム、符号分割多元接続2000(Code Division Multiple Access、CDMA 2000)システム、時分割同期符号分割多元接続(Time Division-Synchronous Code Division Multiple Access、TD-SCDMA)システム、ロングタームエボリューション(Long Term Evolution、LTE)システム、ならびに拡張モバイルブロードバンド(Enhanced Mobile Broadband、eMBB)、URLLC、および大規模マシンタイプ通信(Massive Machine Type Communication、mMTC)という、次世代の5Gモバイル通信システムの3つの応用シナリオ、を含むがこれらに限定されないということに留意されたい。
【００４７】
本出願の実施形態において、端末(terminal device)は、移動局(MS、Mobile Station)、モバイル端末(Mobile Terminal)、携帯電話(Mobile Telephone)、ハンドセット(handset)、ポータルデバイス(portable equipment)、および同様のものを含むがこれらに限定されない。端末は、無線アクセスネットワーク(RAN、Radio Access Network)を通じて、1つまたは複数のコアネットワークと通信しうる。例えば、端末は、携帯電話(または「セルラー」電話と呼ばれる)、またはワイヤレス通信機能を有するコンピュータであってもよい。端末はまた、携帯型の、ポケットサイズの、ハンドヘルド型の、コンピュータがビルトインされた、または車載の、モバイル装置またはデバイスであってもよい。
【００４８】
図1は、本出願による通信システムの概略アーキテクチャ図である。
【００４９】
図1に示されるように、通信システム01は、ネットワークデバイス101および端末102を含む。ワイヤレス通信ネットワーク01がコアネットワークを含むとき、ネットワークデバイス101は、コアネットワークにさらに接続されてもよい。ネットワークデバイス101は、インターネット(Internet)、プライベートIPネットワーク、または他のデータネットワークなどの、インターネットプロトコル(Internet Protocol、IP)ネットワーク200とさらに通信しうる。ネットワークデバイスは、ネットワークデバイスのカバレッジエリア内の端末にサービスを提供する。例えば、図1に示されるように、ネットワークデバイス101は、ネットワークデバイス101のカバレッジエリア内の1つまたは複数の端末にワイヤレスアクセスを提供する。さらに、ネットワークデバイスは、互いにさらに通信しうる。
【００５０】
ネットワークデバイス101は、端末と通信するように構成されたデバイスでありうる。例えば、ネットワークデバイス101は、GSM(登録商標)システムもしくはCDMAシステムにおけるベーストランシーバ基地局(Base Transceiver Station、BTS)であってもよく、またはWCDMA(登録商標)システムにおけるノードB(NodeB、NB)であってもよく、またはLTEシステムにおけるエボルブドノードB(Evolved NodeB、eNBまたはeNodeB)、または将来の5Gネットワークにおけるネットワーク側デバイスであってもよい。あるいは、ネットワークデバイスは、中継ノード、アクセスポイント、車載デバイス、または同様のものでありうる。デバイス間(Device-to-Device、D2D)通信システムにおいて、ネットワークデバイスはあるいは、基地局として機能する端末であってもよい。端末は、ワイヤレス通信機能を有する様々なハンドヘルドデバイス、車載デバイス、ウェアラブルデバイス、およびコンピューティングデバイス、またはワイヤレスモデムに接続される他の処理デバイスを含むこと、様々な形式のユーザ機器(user equipment、UE)および移動局(mobile station、MS)を含むこと、ならびに同様のものを含みうる。
【００５１】
本出願において、ランダムアクセス(random access channel、RACH)リソースは、ランダムアクセス時間およびランダムアクセス周波数などの情報を含みうる。ランダムアクセス時間は、直交周波数分割多重(orthogonal frequency division multiplexing、OFDM)シンボル、ミニスロット、スロット、サブフレーム、または持続期間がH個の基本時間ユニットである時間セグメントであってもよく、所定のランダムアクセスプリアンブルを送信するために必要な時間を示す。ランダムアクセス周波数は、所定のランダムアクセスプリアンブルを送信するために必要な帯域幅を示す。Hは0より大きい。1つの実装形態において、1つのランダムアクセスリソースは、ランダムアクセス時間およびランダムアクセス周波数という2つの次元で識別される。すなわち、1つのランダムアクセス時間および1つのランダムアクセス周波数は、1つのランダムアクセスリソースを定義する。他の実装形態において、1つのランダムアクセス時間および1つのランダムアクセス周波数は、複数のランダムアクセスリソースを定義することができる。
【００５２】
1つのランダムアクセスリソースは、1つのランダムアクセスオケージョン(RACH occasion/RACH transmission occasion/RACH opportunity/RACH chance、RO)、または1つのランダムアクセス時間周波数リソース上の1つのランダムアクセスプリアンブルもしくは複数のランダムアクセスプリアンブルの1つのセットと呼ばれることもある。
【００５３】
図2は、本出願の実施形態によるランダムアクセス方法の概略流れ図である。図2に示されるように、方法は以下のステップを含む。
【００５４】
S201:端末は、ランダムアクセスリソースについての時間位置情報、およびネットワークデバイスによって実際に送信されたダウンリンク信号についての時間位置情報に基づいて、実際に利用可能なランダムアクセスリソースを決定する。
【００５５】
実際に利用可能なランダムアクセスリソースの位置は、実際に送信されたダウンリンク信号の位置と重なり合わない。
【００５６】
任意選択として、ネットワークデバイスは第1の構成情報を端末に送信し、ここで、第1の構成情報は、フレームフォーマット構成インデックス、半静的アップリンク/ダウンリンク構成(semi-static UL/DL configuration)、セミ・パーシステント・ダウンリンクもしくはアップリンクスケジューリング(semi-persistent scheduling)、ランダムアクセス構成インデックス、ランダムアクセスプリアンブルサブキャリア間隔、実際に送信されたダウンリンク信号の指示情報、ダウンリンク信号セット周期性情報、ランダムアクセス構成周期性(RACH configuration periodicity)情報、アップリンクチャネル情報、またはスロットフォーマット情報(slot format information、SFI)、という情報の1つまたは複数を搬送し、および/または
ネットワークデバイスは、第2の構成情報を端末に送信し、ここで、第2の構成情報は、ランダムアクセスリソースが位置するスロットが、ランダムアクセスメッセージ1(MSG1)のサブキャリア間隔に基づくこと、ランダムアクセスリソースが位置するスロットが、ランダムアクセスメッセージ3(MSG3)のサブキャリア間隔に基づくこと、ランダムアクセスリソースが位置するスロットが、アップリンク初期アクセス帯域幅のサブキャリア間隔に基づくこと、ランダムアクセスリソースが位置するスロットが、ダウンリンク信号のサブキャリア間隔に基づくこと、ランダムアクセスリソースが位置するスロットが、部分的なダウンリンク初期アクセス帯域幅のサブキャリア間隔に基づくこと、またはランダムアクセスリソースが位置するスロットの長さ、のうちの少なくとも1つを含む。
【００５７】
ダウンリンク信号は、同期信号ブロック(synchronization signal block、SS block)、システム情報ブロック、残りの最小システム情報(remaining minimum system information、RMSI)、新無線システム情報ブロック1 NR SIB1、新無線システム情報ブロック0 NR SIB0、予約(reserved)ダウンリンク信号、半静的構成ダウンリンクサブフレーム、半静的構成スロット、または半静的構成OFDMシンボル、のうちの1つまたは複数でありうる。
【００５８】
実際に伝送されたダウンリンク信号は、1つまたは複数のOFDMシンボルに対応することが可能である。ダウンリンク信号は、一次同期信号(Primary Synchronization Signal、PSS)、二次同期信号(Secondary Synchronization Signal、SSS)、物理ブロードキャスト信号(Physical Broadcast Channel Block、PBCH)、復調用参照信号(Demodulation Reference Signal、DMRS)、のうちの少なくとも1つを含む。SS blockは、SS/PBCH blockと呼ばれることもある。SS blockまたはSS/PBCH block内の複数の信号は、同じアンテナポートを使用することによって送信されうる。
【００５９】
半静的な構成とは、アップリンク/ダウンリンク通信構成が、構成期間の持続期間に基づいて周期的に現れることを意味する。すなわち、対応するアップリンク/ダウンリンクサブフレーム、スロット、またはOFDMシンボルは周期的に現れる。周期は、1つまたは2つのスロット、0.5ミリ秒、1ミリ秒、2ミリ秒、5ミリ秒、10ミリ秒、または120kHzサブキャリア間隔に対応する他の値であってもよい。セミ・パーシステント・スケジューリングとは、アップリンク/ダウンリンク通信のために使用される時間および周波数リソースが、スケジューリング周期の持続期間に基づいて周期的に現れることを意味する。すなわち、対応するアップリンク/ダウンリンクサブフレーム、スロット、またはOFDMシンボル内の周波数リソースは周期的に現れる。セミ・パーシステント・スケジューリングは、半静的スケジューリング(semi-static scheduling)とも呼ばれる。
【００６０】
予約(reserved)ダウンリンク信号は、予約時間内において予約されたリソースエレメントおよび/またはリソースブロックの中で搬送されるダウンリンクデータおよび/またはヌルデータであるということが理解されよう。
【００６１】
ダウンリンク信号セットは、1つまたは複数のダウンリンク信号を含む。
【００６２】
アップリンクチャネル情報は、アップリンクセンタ周波数情報、アップリンクチャネル番号、アップリンクチャネル帯域幅、アップリンク周波数帯域の数、アップリンク周波数帯域開始位置、アップリンク周波数帯域サブキャリアオフセット値、アップリンク周波数帯域リソースブロックオフセット値、部分的なアップリンク初期アクセス帯域幅の量および/もしくは帯域幅、部分的なアップリンク初期アクセス帯域幅のサブキャリア間隔、またはランダムアクセスリソースの個数、のうちの1つまたは複数を含むことができる。アップリンクチャネル帯域幅は、総アップリンクチャネル帯域幅であってもよく、またはアップリンク初期アクセス帯域幅であってもよい。これは、本出願において限定されない。
【００６３】
端末は、ランダムアクセスリソースについての時間位置情報、実際に送信されたダウンリンク信号についての時間位置情報、および同様のものを、前述の構成情報に基づいて取得しうる。
【００６４】
任意選択として、半静的アップリンク/ダウンリンク構成は、同じサブキャリア幅に基づいて行われる。例えば、半静的アップリンク/ダウンリンク構成は、ダウンリンク信号、RMSI、アップリンクランダムアクセス情報1、またはアップリンクランダムアクセス情報3のサブキャリア幅に基づいて行われる。
【００６５】
任意選択として、半静的アップリンク/ダウンリンク構成は、同じサブキャリア幅に基づいて行われる。例えば、半静的アップリンク/ダウンリンク構成は、ダウンリンク信号、RMSI、アップリンクランダムアクセス情報1、およびアップリンクランダムアクセス情報3のサブキャリアにおける最大または最小のサブキャリアに基づいて行われる。
【００６６】
任意選択として、半静的アップリンク/ダウンリンク構成は、異なるサブキャリア幅に基づいて行われる。例えば、ダウンリンク構成は、ダウンリンク信号およびRMSIのサブキャリア幅における最大または最小のサブキャリア幅に基づいて行われ、アップリンク構成は、アップリンクランダムアクセス情報1およびアップリンクランダムアクセス情報3のサブキャリア幅における最大または最小のサブキャリア幅に基づいて行われる。
【００６７】
任意選択として、半静的アップリンク/ダウンリンク構成は、同じサブキャリア幅に基づいて行われる。低周波数シナリオにおいて(周波数帯域が、第1の予めセットされた周波数帯域より低い)、構成は、固定されたサブキャリア幅(例えば、15kHz)に基づいて行われる。高周波数シナリオにおいて(周波数帯域が、第2の予めセットされた周波数帯域より高い)、構成は、他の固定されたサブキャリア幅(例えば、60kHz)に基づいて行われる。あるいは、高周波数および低周波数において、構成は、同じサブキャリア幅(15kHzまたは60kHz)に基づいて行われる。
【００６８】
任意選択として、端末は、フレームフォーマット構成インデックスおよび/またはスロットフォーマット情報に基づいて、システムフレーム内のアップリンクサブフレーム、スロット、およびOFDMシンボルの個数および時間情報を決定しうる。さらに、端末は、ランダムアクセス構成インデックスおよびランダムアクセスプリアンブルサブキャリア間隔に基づいて、ランダムアクセスリソースが位置するアップリンクサブフレーム、スロット、およびOFDMシンボルの個数および時間情報を決定しうる。
【００６９】
さらに、端末は、実際に送信されたダウンリンク信号の指示情報、およびダウンリンク信号セット周期性情報を参照しながら、実際に利用可能なランダムアクセスリソースを決定する。
【００７０】
S202:端末は、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定する。
【００７１】
具体的には、実際に送信されたダウンリンク信号に対応する対象ランダムアクセスリソースは、実際に利用可能なランダムアクセスリソースから決定される。すなわち、アップリンク情報は、実際に送信されたダウンリンク信号の位置と位置が重なり合う(これは、本出願において、部分的に重なり合う、競合する、占有する(overlap/conflict/occupy/overlay/intersect/cross)、および同様のものと理解されてもよい)ランダムアクセスリソースを使用することによっては送信されない。
【００７２】
S203:端末は、対象ランダムアクセスリソースを使用することによって、ランダムアクセスプリアンブルをネットワークデバイスに送信する。
【００７３】
本実施形態において、端末は、ランダムアクセスリソースの位置についての情報、およびネットワークデバイスによって実際に送信されたダウンリンク信号についての時間位置情報に基づいて、実際に利用可能なランダムアクセスリソースを決定することと、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定することと、対象ランダムアクセスリソースを使用することによって、ランダムアクセスプリアンブルをネットワークデバイスにさらに送信することと、を行う。このことは、実際に送信されたダウンリンク信号と、アップリンクにおいて送信されるランダムアクセスプリアンブルとの間の競合を回避する。
【００７４】
それに応じて、ネットワーク側デバイスも、特定のランダムアクセスプリアンブルを受信するために、実際に利用可能なランダムアクセスリソース、および対象ランダムアクセスリソースを決定する。
【００７５】
図3は、本出願の他の実施形態によるランダムアクセス方法の概略流れ図である。図3に示されるように、方法は以下のステップを含む。
【００７６】
S301:ネットワークデバイスは、ランダムアクセスリソースについての時間位置情報、および実際に送信されたダウンリンク信号についての時間位置情報に基づいて、実際に利用可能なランダムアクセスリソースを決定し、ここで、実際に利用可能なランダムアクセスリソースの位置は、実際に送信されたダウンリンク信号の位置と重なり合わない。
【００７７】
同様に、ネットワークデバイスは、フレームフォーマット構成インデックスおよび/またはスロットフォーマット情報に基づいて、システムフレーム内のアップリンクサブフレーム、スロット、およびOFDMシンボルの個数および時間情報を決定しうる。さらに、ネットワークデバイスは、ランダムアクセス構成インデックスおよびランダムアクセスプリアンブルサブキャリア間隔に基づいて、ランダムアクセスリソースが位置するアップリンクサブフレーム、スロット、およびOFDMシンボルの個数および時間情報を決定しうる。
【００７８】
さらに、ネットワークデバイスは、実際に送信されたダウンリンク信号の指示情報、およびダウンリンク信号セット周期性情報を参照しながら、実際に利用可能なランダムアクセスリソースを決定する。
【００７９】
S302:ネットワークデバイスは、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定する。
【００８０】
S303:ネットワークデバイスは、実際に送信されたダウンリンク信号に対応する対象ランダムアクセスリソースに基づいて、端末によって送信されたランダムアクセスプリアンブルを受信する。
【００８１】
ネットワークデバイスおよび端末は、実際に利用可能なランダムアクセスリソース、ダウンリンク信号とランダムアクセスリソースとの間の関連付け関係、および対象ランダムアクセスリソースなどの関連パラメータを決定するために同じルールに従うということに留意されたい。具体的には、ネットワークデバイスは、端末がその上でランダムアクセスプリアンブルを送信するランダムアクセスリソースについて認識しており、ランダムアクセス処理を完了させるために、さらにランダムアクセスリソース上でランダムアクセスプリアンブルを受信し、ネットワークデバイスはまた、端末がその上でランダムアクセスプリアンブルを送信しないランダムアクセスリソースを決定する。
【００８２】
本実施形態において、ネットワークデバイスは、ランダムアクセスリソースについての時間位置情報、および実際に送信されたダウンリンク信号についての時間位置情報に基づいて、実際に利用可能なランダムアクセスリソースを決定することであって、実際に利用可能なランダムアクセスリソースの位置が、実際に送信されたダウンリンク信号の位置と重なり合わない、決定することと、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定することと、実際に送信されたダウンリンク信号に対応する対象ランダムアクセスリソースに基づいて、端末によって送信されたランダムアクセスプリアンブルをさらに受信することと、を行いうる。このことは、実際に送信されたダウンリンク信号と、アップリンクにおいて送信されるランダムアクセスプリアンブルとの間の競合を回避する。
【００８３】
ダウンリンク信号についての時間位置は、ダウンリンク信号によって占有されたスロット、ダウンリンク信号によって占有されたOFDMシンボル、またはダウンリンク/アップリンクガード期間、のうちの1つまたは複数に基づいて決定されることが可能であり、ここで、スロットは、ダウンリンク信号のサブキャリア間隔に基づき、ダウンリンク/アップリンクガード期間は、時間期間である。
【００８４】
前述の実施形態に基づいて、ランダムアクセスリソースについての時間位置情報、およびネットワークデバイスによって実際に送信されたダウンリンク信号についての時間位置情報に基づいて、実際に利用可能なランダムアクセスリソースを端末が決定することは、ランダムアクセスリソースについての時間位置情報、およびネットワークデバイスによって実際に送信されたダウンリンク信号についての時間位置情報に基づいて、実際に送信されたダウンリンク信号についての時間位置と時間位置が重なり合うランダムアクセスリソースを決定すること、ならびに実際に送信されたダウンリンク信号についての時間位置と時間位置が重なり合わないランダムアクセスリソースを、実際に利用可能なランダムアクセスリソースとしてさらに使用すること、でありうる。
【００８５】
具体的には、端末は、実際に送信されたダウンリンク信号についての時間位置と時間位置が重なり合うランダムアクセスリソースが利用不可であること、具体的には、実際に送信されたダウンリンク信号についての時間位置と時間位置が重なり合うランダムアクセスリソースを使用することによって、ランダムアクセスプリアンブルを送信しないこと、を決定する。それに応じて、実際に送信されたダウンリンク信号についての時間位置と時間位置が重なり合わないランダムアクセスリソースは、実際に利用可能なランダムアクセスリソースとして決定される。
【００８６】
実際に送信されたダウンリンク信号についての時間位置と時間位置が重なり合うランダムアクセスリソースが利用不可であることを端末が決定することは、実際に送信されたダウンリンク信号についての時間位置と時間位置が重なり合うランダムアクセスリソースをパンクチャすること(これは、本出願において、削除、リリース、および同様のもの(puncture/release/delete/remove)として理解されてもよい)でありうる。
【００８７】
同じ原理に従って、端末は、実際に送信されたダウンリンク信号についての時間位置と時間位置が重なり合うランダムアクセスリソースが利用不可であること、具体的には、実際に送信されたダウンリンク信号についての時間位置と時間位置が重なり合う部分上で、ランダムアクセスプリアンブルが受信される必要がないこと、を決定する。
【００８８】
本出願において、ランダムアクセスリソースが位置するスロットは、ランダムアクセスメッセージ1(MSG1)、ランダムアクセスメッセージ3(MSG3)、アップリンク初期アクセス帯域幅、ダウンリンク初期アクセス帯域幅、ダウンリンク同期信号ブロック、システム情報(例えば、新無線システム情報ブロック1 NR SIB1、または新無線システム情報ブロック0 NR SIB0)、残りの最小システム情報(remaining minimum system information、RMSI)、もしくは他のダウンリンク信号(例えば、半静的構成ダウンリンクサブフレームおよび/またはスロットおよび/またはOFDMシンボル)、という信号のうちの少なくとも1つのサブキャリア間隔に基づき、またはランダムアクセスリソースが位置するスロットの長さは、ネットワークデバイスによって示される。
【００８９】
新無線システム情報ブロック1 NR SIB1、新無線システム情報ブロック0 NR SIB0、およびダウンリンク信号は、半静的構成ダウンリンクサブフレームおよび/またはスロットおよび/またはOFDMシンボルである。ダウンリンク信号の1つまたは複数は、予約ダウンリンク信号である。
【００９０】
本出願において、ダウンリンク信号についての時間位置は、ダウンリンク信号によって占有されたスロットおよび/またはOFDMシンボルであり、ここで、スロットおよび/またはOFDMシンボルは、ダウンリンク信号のサブキャリア間隔に基づく。
【００９１】
ダウンリンク信号についての時間位置は、ダウンリンク/アップリンクガード期間(例えば、アップリンクおよびダウンリンクの切換えのために使用されるguard period)をさらに含むことができる。ダウンリンク/アップリンクガード期間は、時間期間である。
【００９２】
本出願において、ダウンリンク同期信号ブロック、システム情報ブロック、残りの最小システム情報、新無線システム情報ブロック1 NR SIB1、新無線システム情報ブロック0 NR SIB0、半静的構成ダウンリンクサブフレームおよび/またはスロットおよび/またはOFDMシンボル、予約ダウンリンク信号、半永続的にスケジューリングされるダウンリンクサブフレームおよび/またはスロットおよび/またはOFDMシンボル、ダウンリンク復調用参照信号、ならびにダウンリンクチャネル状態情報-参照信号のサブキャリア間隔は、アップリンクPRACH、半静的構成アップリンクサブフレームおよび/またはスロットおよび/またはOFDMシンボル、予約アップリンク信号、ならびに半永続的にスケジューリングされるアップリンクサブフレームおよび/またはスロットおよび/またはOFDMシンボルのサブキャリア間隔とは異なる。したがって、スロットまたはOFDMシンボル長などの対応する時間スケールも異なり、異なる信号のサブキャリアの間の相違は、ランダムアクセスリソースの調整中に考慮される必要がある。
【００９３】
具体的には、ダウンリンク同期信号ブロックがランダムアクセスリソースと重なり合うときに利用される調整方式が、説明のための例として使用される。本明細書における実施形態において、ダウンリンク同期信号ブロックは、ダウンリンク同期信号ブロックのサブキャリアに対応する時間スケールに基づくということ、およびランダムアクセスリソースは、ランダムアクセスプリアンブルのサブキャリアに対応する時間スケールに基づくということ、に留意されたい。類似のリソースパンクチャおよび調整方法は、(異なるサブキャリア間隔を有する)他のダウンリンク信号についての時間位置が、ランダムアクセスリソースについての時間位置と重なり合うときに行われる調整にも適用可能である。
【００９４】
特定の実行処理において、以下のケースがありうる(本出願の添付の図面において、「SS/PBCH」は、ダウンリンク信号(ダウンリンク同期信号ブロック)を識別し、「PRACH」は、ランダムアクセスリソースを識別するということに留意されたい)。
【００９５】
(1)端末は、実際に送信されたダウンリンク信号についての時間位置と時間位置が重なり合うランダムアクセスリソースをパンクチャする。
【００９６】
本実装形態において、端末は、実際に送信されたダウンリンク信号についての時間位置と時間位置が重なり合い、実際に送信されたダウンリンク信号についての時間位置と時間位置が重なり合うランダムアクセスリソースが位置するスロット内にあるランダムアクセスリソースをパンクチャし、他のランダムアクセスリソースを保持し、ここで、他のランダムアクセスリソースは、ランダムアクセスプリアンブルを送信するために使用され続けるための、実際に利用可能なランダムアクセスリソースとしてさらに使用されうる。
【００９７】
例えば、実際に伝送されたダウンリンク信号は、時間ドメイン内のOFDMシンボルiからi+3までを占有する。この場合、時間ドメイン内のOFDMシンボルiKからiK+4K-1までにおけるランダムアクセスリソースは、使用されること(例えばパンクチャされること)にはならないと決定される。Kは、ランダムアクセスリソースのサブキャリア間隔と、ダウンリンク信号のサブキャリア間隔との間の倍数を識別する。例えば、Kは、1/4、1/2、1、2、または4のうちの任意の1つでありうる。iは、0以上の整数である。
【００９８】
図4は、本出願によるリソース構造の概略図である。図4に示されるように、K=2であるとき、ダウンリンク信号のサブキャリア間隔が15キロヘルツ(15kHz)であり、ランダムアクセスリソースサブキャリア間隔のサブキャリア間隔が30kHzであると想定される。
【００９９】
1つのランダムアクセスリソースが位置するスロットの持続期間の中で、最大1つのダウンリンク信号が伝送されうる。具体的には、1つのダウンリンク信号は、ダウンリンク信号セット内の任意のダウンリンク信号であってもよい。図4に示されるように、実際に送信されたダウンリンク信号は、スロット内のOFDMシンボル2から5までを占有し、ランダムアクセスリソースは、ランダムアクセスリソースの時間スケール上のスロット内のOFDMシンボル12および13に配置され得る。
【０１００】
他の例として、実際に送信されたダウンリンク信号は、スロット内のOFDMシンボル8から11までを占有し、ランダムアクセスリソースは、ランダムアクセスリソースの時間スケール上のスロット内のOFDMシンボル10から13までに配置され得ると想定される。
【０１０１】
図5は、本出願による他のリソース構造の概略図である。図5に示されるように、K=1/2であるとき、ダウンリンク信号のサブキャリア間隔が30kHzであり、ランダムアクセスリソースのサブキャリア間隔が15kHzであると想定される。
【０１０２】
この場合、1つのランダムアクセスリソースが位置するスロットの持続期間の中で、最大4つのダウンリンク信号が伝送されうる。4つのダウンリンク信号は、ダウンリンク信号0から3として表され、ダウンリンク信号セット内の任意の4つのダウンリンク信号であってもよい。
【０１０３】
図5に示されるように、実際に送信されたダウンリンク信号は、スロット内のOFDMシンボル2から5まで、および/またはOFDMシンボル8から11までを占有し、ランダムアクセスリソースは、ランダムアクセスリソースの時間スケール上のスロット内のOFDMシンボル10から13までに配置され得る。
【０１０４】
他の例として、ダウンリンク信号2およびダウンリンク信号3が伝送されないとき、ランダムアクセスリソースは、ランダムアクセスリソースの時間スケール上のスロット内のOFDMシンボル6から13までに配置され得る。
【０１０５】
ダウンリンク信号1、ダウンリンク信号2、およびダウンリンク信号3が伝送されないとき、ランダムアクセスリソースは、ランダムアクセスリソースの時間スケール上のスロット内のOFDMシンボル3から13までに配置され得る。
【０１０６】
あるいは、実際に送信されたダウンリンク信号が、スロット内のOFDMシンボル2から5まで、またはOFDMシンボル6から9までを占有するとき、ランダムアクセスリソースは、ランダムアクセスリソースの時間スケール上のスロット内のOFDMシンボル10から13までに配置され得る。
【０１０７】
ダウンリンク信号2およびダウンリンク信号3が伝送されないとき、ランダムアクセスリソースは、ランダムアクセスリソースの時間スケール上のスロット内のOFDMシンボル5から13までに配置され得る。
【０１０８】
ダウンリンク信号1、ダウンリンク信号2、およびダウンリンク信号3が伝送されないとき、ランダムアクセスリソースは、ランダムアクセスリソースの時間スケール上のスロット内のOFDMシンボル3から13までに配置され得る。
【０１０９】
スロットのない(unslotted)スケジューリングに基づいてランダムアクセスリソースが構成される場合、ランダムアクセスリソースは、伝送されないダウンリンク信号によって占有されたスロットのない位置に配置され得るということに留意されたい。例えば、(ランダムアクセスリソースのサブキャリア間隔に対応する時間スケール上の)7つのOFDMシンボルに基づくスロットのないスケジューリングにおいて、ダウンリンク信号1が伝送されず、ダウンリンク信号2が伝送されるとき、ダウンリンク信号によって占有された時間リソースのOFDMシンボル3から6までが、ランダムアクセスリソースを配置するために使用されうる。あるいは、ダウンリンク信号0および1が伝送されず、ダウンリンク信号2が伝送されるとき、ダウンリンク信号によって占有された時間リソースのOFDMシンボル0から6までが、ランダムアクセスリソースを配置するために使用されうる。
【０１１０】
他の例として、ダウンリンク信号のサブキャリア間隔が120kHzであり、ランダムアクセスリソースのサブキャリア間隔が60kHzであるということが想定される。この場合、1つのランダムアクセスリソースが位置するスロットの持続期間の中で、最大4つのダウンリンク信号が伝送されうる。例えば、4つのダウンリンク信号は、ダウンリンク信号0から3として表されてもよく、ダウンリンク信号セット内の任意の4つのダウンリンク信号であってもよい。
【０１１１】
例えば、ダウンリンク信号の伝送位置はそれぞれ、(ダウンリンク信号時間スケール上の)2つの隣接したスロット内のOFDMシンボル4から7まで、8から11まで、16から19まで、および20から23までである。ダウンリンク信号2が伝送され、ダウンリンク信号3が伝送されないとき、ランダムアクセスリソースは、ランダムアクセスリソースの時間スケール上のスロット内のOFDMシンボル10から13までに配置され得る。
【０１１２】
ダウンリンク信号2およびダウンリンク信号3が伝送されないとき、ランダムアクセスリソースは、ランダムアクセスリソースの時間スケール上のスロット内のOFDMシンボル6から13までに配置され得る。
【０１１３】
ダウンリンク信号1、ダウンリンク信号2、およびダウンリンク信号3が伝送されないとき、ランダムアクセスリソースは、ランダムアクセスリソースの時間スケール上のスロットk内のOFDMシンボル4から13までに配置され得る。
【０１１４】
スロットのないスケジューリングに基づいてランダムアクセスリソースが構成される場合(具体的には、時間内に少なくとも1つの構成されたランダムアクセスリソースによって占有されたOFDMシンボルが、1つのスロットまたは14個のOFDMシンボルより小さく、例えば、ランダムアクセスリソースが、2つ、4つ、または7つのOFDMシンボルを占有し、OFDMシンボルの時間スケールが、ランダムアクセスリソースの時間スケールと同じであるか、異なる可能性がある場合)、ランダムアクセスリソースは、伝送されないダウンリンク信号によって占有されたスロットのない位置に配置され得る。具体的には、(ランダムアクセスリソースのサブキャリア間隔に対応する時間スケール上の)7つのOFDMシンボルに基づくスロットのないスケジューリングにおいて、ダウンリンク信号1が伝送されず、ダウンリンク信号2が伝送されるとき、ダウンリンク信号によって占有された時間リソースのOFDMシンボル4から6までが、ランダムアクセスリソースを配置するために使用されうる。
【０１１５】
あるいは、ダウンリンク信号0および1が伝送されず、ダウンリンク信号2が伝送されるとき、ダウンリンク信号によって占有された時間リソースのOFDMシンボル0から6までが、ランダムアクセスリソースを配置するために使用されうる。
【０１１６】
あるいは、ダウンリンク信号のサブキャリア間隔が240kHzであり、ランダムアクセスリソースのサブキャリア間隔が120kHzであるということが想定される。この場合、1つのランダムアクセスリソースが位置するスロットの持続期間の中で最大4つのダウンリンク信号が伝送されうる。例えば、4つのダウンリンク信号は、ダウンリンク信号0から3として表されてもよく、ダウンリンク信号セット内の任意の4つのダウンリンク信号であってもよい。
【０１１７】
例えば、4つのダウンリンク信号の伝送位置はそれぞれ、(ダウンリンク信号時間スケール上の)2つのスロット内のOFDMシンボル8から11まで、12から15まで、16から19まで、および20から23までである。ダウンリンク信号2が伝送され、ダウンリンク信号3が伝送されないとき、ランダムアクセスリソースは、ランダムアクセスリソースの時間スケール上のスロット内のOFDMシンボル10から13までに配置され得る。
【０１１８】
ダウンリンク信号2およびダウンリンク信号3が伝送されないとき、ランダムアクセスリソースは、ランダムアクセスリソースの時間スケール上のスロット内のOFDMシンボル8から13までに配置され得る。
【０１１９】
ダウンリンク信号1、ダウンリンク信号2、およびダウンリンク信号3が伝送されないとき、ランダムアクセスリソースは、ランダムアクセスリソースの時間スケール上のスロットk内のOFDMシンボル6から13までに配置され得る。
【０１２０】
スロットのないスケジューリングに基づいてランダムアクセスリソースが構成される場合、ランダムアクセスリソースは、伝送されないダウンリンク信号によって占有されたスロットのない位置に配置され得る。例えば、(ランダムアクセスリソースのサブキャリア間隔に対応する時間スケール上の)7つのOFDMシンボルに基づくスロットのないスケジューリングにおいて、ダウンリンク信号1が伝送されず、ダウンリンク信号2が伝送されるとき、ダウンリンク信号によって占有された時間リソースのOFDMシンボル6が、ランダムアクセスリソースを配置するために使用されうる。あるいは、ダウンリンク信号0および1が伝送されず、ダウンリンク信号2が伝送されるとき、ダウンリンク信号によって占有された時間リソースのOFDMシンボル0から6までが、ランダムアクセスリソースを配置するために使用されうる。
【０１２１】
あるいは、4つのダウンリンク信号の伝送位置はそれぞれ、(ダウンリンク信号時間スケール上の)2つのスロット内のOFDMシンボル4から7まで、8から11まで、12から15まで、および16から19までである。ダウンリンク信号2が伝送され、ダウンリンク信号3が伝送されないとき、ランダムアクセスリソースは、ランダムアクセスリソースの時間スケール上のスロット内のOFDMシンボル8から13までに配置され得る。
【０１２２】
ダウンリンク信号2およびダウンリンク信号3が伝送されないとき、ランダムアクセスリソースは、ランダムアクセスリソースの時間スケール上のスロット内のOFDMシンボル6から13までに配置され得る。
【０１２３】
ダウンリンク信号1、ダウンリンク信号2、およびダウンリンク信号3が伝送されないとき、ランダムアクセスリソースは、ランダムアクセスリソースの時間スケール上のスロットk内のOFDMシンボル4から13までに配置され得る。
【０１２４】
スロットのないスケジューリングに基づいてランダムアクセスリソースが構成される場合、ランダムアクセスリソースは、伝送されないダウンリンク信号によって占有されたスロットのない位置に配置され得る。例えば、(ランダムアクセスリソースのサブキャリア間隔に対応する時間スケール上の)7つのOFDMシンボルに基づくスロットのないスケジューリングにおいて、ダウンリンク信号1および2が伝送されず、ダウンリンク信号3が伝送される場合、ダウンリンク信号によって占有された時間リソースのOFDMシンボル4から6までが、ランダムアクセスリソースを配置するために使用されうる。あるいは、ダウンリンク信号0から2までが伝送されず、ダウンリンク信号3が伝送されるとき、ダウンリンク信号によって占有された時間リソースのOFDMシンボル0から6までが、ランダムアクセスリソースを配置するために使用されうる。
【０１２５】
図6は、本出願による他のリソース構造の概略図である。図6に示されるように、K=1であり、すなわち、ダウンリンク信号のサブキャリア間隔は、ランダムアクセスリソースのサブキャリア間隔と同じであり、両方が、15kHz、30kHz、または120kHzのうちのいずれか1つであってもよい。
【０１２６】
1つのランダムアクセスリソースが位置するスロットの持続期間の中で、最大2つのダウンリンク信号が伝送されうる。例えば、2つのダウンリンク信号は、ダウンリンク信号0および1として表されてもよく、ダウンリンク信号セット内の任意の2つのダウンリンク信号であってもよい。
【０１２７】
図6に示されるように、第1の実際に送信されたダウンリンク信号0は、スロット内のOFDMシンボル2から5までを占有する。この場合、ダウンリンク信号1がスロット内で伝送されない場合、ランダムアクセスリソースは、スロットの末端における、ダウンリンク信号によって占有されたOFDMシンボル6から13までに配置され得る。他の例として、第1のダウンリンク信号0は、スロット内のOFDMシンボル4から7までを占有する。この場合、ダウンリンク信号1がスロット内で伝送されない場合、ランダムアクセスリソースは、スロットの末端における、ダウンリンク信号によって占有されたOFDMシンボル8から13までに配置され得る。
【０１２８】
スロットのないスケジューリングに基づいて(例えば、2つ、4つ、または7つのOFDMシンボルといった14個未満のOFDMシンボルに基づいて)ランダムアクセスリソースが構成される場合、ランダムアクセスリソースは、伝送されないダウンリンク信号によって占有されたスロットのない位置(OFDMシンボルの位置)に配置され得る。具体的には、7つのOFDMシンボルに基づくスロットのないスケジューリングが例として使用される。ダウンリンク信号0が伝送されず、ダウンリンク信号1が伝送される場合、ダウンリンク信号によって占有された時間リソースのOFDMシンボル0から6までが、ランダムアクセスリソースを配置するために使用されうる。
【０１２９】
他の可能性において、K=1/4であり、ダウンリンク信号のサブキャリア間隔が240kHzであり、ランダムアクセスリソースのサブキャリア間隔が60kHzであるということが想定される。
【０１３０】
この場合、1つのランダムアクセスリソースが位置するスロットの持続期間の中で、最大8つのダウンリンク信号が伝送されうる。例えば、8つのダウンリンク信号は、ダウンリンク信号0から7として表され、ダウンリンク信号セット内の任意の8つのダウンリンク信号であってもよい。
【０１３１】
例えば、8つのダウンリンク信号の伝送位置はそれぞれ、(ダウンリンク信号時間スケール上の)4つのスロット内のOFDMシンボル8から11まで、12から15まで、16から19まで、20から23まで、32から35まで、36から39まで、40から43まで、および44から47までである。ダウンリンク信号6が伝送され、ダウンリンク信号7が伝送されないとき、ランダムアクセスリソースは、ランダムアクセスリソースの時間スケール上のスロット内のOFDMシンボル11から13までに配置され得る。
【０１３２】
ダウンリンク信号5が伝送され、ダウンリンク信号6および7が伝送されないとき、ランダムアクセスリソースは、ランダムアクセスリソースの時間スケール上のスロット内のOFDMシンボル10から13までに配置され得る。
【０１３３】
ダウンリンク信号4が伝送され、ダウンリンク信号5から7までが伝送されないとき、ランダムアクセスリソースは、ランダムアクセスリソースの時間スケール上のスロット内のOFDMシンボル9から13までに配置され得る。
【０１３４】
ダウンリンク信号3が伝送され、ダウンリンク信号4から7までが伝送されないとき、ランダムアクセスリソースは、ランダムアクセスリソースの時間スケール上のスロット内のOFDMシンボル7から13までに配置され得る。
【０１３５】
ダウンリンク信号2が伝送され、ダウンリンク信号6および7が伝送されないとき、ランダムアクセスリソースは、ランダムアクセスリソースの時間スケール上のスロット内のOFDMシンボル5から13までに配置され得る。
【０１３６】
ダウンリンク信号1が伝送され、ダウンリンク信号2から7までが伝送されないとき、ランダムアクセスリソースは、ランダムアクセスリソースの時間スケール上のスロット内のOFDMシンボル4から13までに配置され得る。
【０１３７】
ダウンリンク信号1が伝送され、ダウンリンク信号1から7までが伝送されないとき、ランダムアクセスリソースは、ランダムアクセスリソースの時間スケール上のスロット内のOFDMシンボル3から13までに配置され得る。
【０１３８】
スロットのないスケジューリングに基づいてランダムアクセスリソースが構成される場合、ランダムアクセスリソースは、伝送されないダウンリンク信号によって占有されたスロットのない位置に配置され得る。例えば、(ランダムアクセスリソースのサブキャリア間隔に対応する時間スケール上の)7つのOFDMシンボルに基づくスロットのないスケジューリングにおいて、ダウンリンク信号3が伝送されず、ダウンリンク信号4から7までのいずれか1つが伝送されるとき、ダウンリンク信号によって占有された時間リソースのOFDMシンボル5および6が、ランダムアクセスリソースを配置するために使用されうる。あるいは、ダウンリンク信号2および3が伝送されず、ダウンリンク信号4から7までのいずれか1つが伝送されるとき、ダウンリンク信号によって占有された時間リソースのOFDMシンボル4から6が、ランダムアクセスリソースを配置するために使用されうる。あるいは、ダウンリンク信号1から3までが伝送されず、ダウンリンク信号4から7までのいずれか1つが伝送されるとき、ダウンリンク信号によって占有された時間リソースのOFDMシンボル3から6までが、ランダムアクセスリソースを配置するために使用されうる。あるいは、ダウンリンク信号0および3が伝送されず、ダウンリンク信号4から7までのいずれか1つが伝送されるとき、ダウンリンク信号によって占有された時間リソースのOFDMシンボル0から6までが、ランダムアクセスリソースを配置するために使用されうる。
【０１３９】
(2)端末は、実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースをパンクチャする。
【０１４０】
図7は、本出願による他のリソース構造の概略図である。図7に示されるように、K=1であることが想定される。
【０１４１】
実際に送信されたダウンリンク信号についての時間位置と時間位置が重なり合うランダムアクセスリソース上でランダムアクセスプリアンブルが送信されることにはならないと決定される。さらに、重なり合うランダムアクセスリソースのこの部分の前にあり、現在のスロット内にあるランダムアクセスリソース上でもランダムアクセスプリアンブルが送信されることにはならないと決定される。
【０１４２】
ランダムアクセスプリアンブルは、アップリンクにおいて送信され、ダウンリンク信号は、ダウンリンクにおいてネットワークデバイスによって送信されるということに留意されたい。重なり合うランダムアクセスリソースのこの部分の前にあり、現在のスロット内にあるランダムアクセスリソースも、頻繁なアップリンクおよびダウンリンクの切換えを回避するためにパンクチャされる。
【０１４３】
(3)端末は、実際に送信されたダウンリンク信号についての時間位置と時間位置が重なり合うランダムアクセスリソースが位置するスロット内の全てのランダムアクセスリソースをパンクチャする。
【０１４４】
図8は、本出願による他のリソース構造の概略図である。図8に示されるように、K=2であることが想定される。
【０１４５】
(2)におけるものと同様に、頻繁なアップリンクおよびダウンリンクの切換えをより良く回避するために、実際に送信されたダウンリンク信号についての時間位置と時間位置が重なり合うランダムアクセスリソースが位置するスロット内でランダムアクセスプリアンブルは送信されることにはならないと決定される。
【０１４６】
実際に利用可能なランダムアクセスリソースをネットワークデバイスによって決定する方式は、端末側で使用されるものを参照しながら使用されうるということに留意されたい。詳細は再び説明されない。
【０１４７】
前述の実施形態に基づいて、いくつかの元のランダムアクセスリソースは使用されないので、1つの実装形態において、実際に利用可能なランダムアクセスリソースが追加される必要がある。
【０１４８】
任意選択として、利用可能なアップリンクスロット、およびランダムアクセスリソースが入らないアップリンクOFDMシンボルの位置は、スロットフォーマット構成情報(slot format information)、およびダウンリンクまたはアップリンクのフレームフォーマット構成に基づいて、ランダムアクセス構成期間の中で最初に決定されることが可能である。
【０１４９】
さらに、追加された実際に利用可能なランダムアクセスリソースは、パンクチャされたランダムアクセスリソースの個数に基づいて決定されることが可能である。具体的には、追加された実際に利用可能なランダムアクセスリソースについての時間位置、周波数ドメインにおける追加された実際に利用可能なランダムアクセスリソースの個数、および同様のものが決定されることが可能である。追加されたランダムアクセスリソースについての時間位置は、半静的構成アップリンクサブフレーム、半静的構成アップリンクスロット、または半静的構成アップリンクOFDMシンボルのうちの少なくとも1つであってもよい。他の実装形態において、追加されたランダムアクセスリソースについての時間位置は、半静的構成の未決定のアップリンクまたはダウンリンクサブフレーム、スロット、またはOFDMシンボルであってもよい。未決定のアップリンクまたはダウンリンクサブフレーム、スロット、またはOFDMシンボルは、unknownサブフレーム、スロット、またはOFDMシンボルとも呼ばれ、サブフレーム、スロット、もしくはOFDMシンボルがアップリンクもしくはダウンリンク方向にあるかどうかが、ランダムアクセスにおいて決定されないということを意味するか、またはサブフレーム、スロット、もしくはOFDMシンボルのアップリンクもしくはダウンリンク方向におけるRRC、MAC CE、もしくはDCIシグナリングを通じて、サブフレーム、スロット、もしくはOFDMシンボルが動的に構成されるか、もしくはスケジューリングされるということを意味する。
【０１５０】
それに応じて、ネットワークデバイスも、いくつかの特定のランダムアクセスリソース上でランダムアクセスプリアンブルが受信されることになることを保証するために、追加された実際に利用可能なランダムアクセスリソースについての時間位置、周波数ドメインにおける追加された実際に利用可能なランダムアクセスリソースの個数、および同様のものを、端末と同じように決定する。
【０１５１】
特定の実装形態において、ランダムアクセスリソースは、時間ドメイン、周波数ドメイン、または他のアップリンクOFDMシンボルの位置の中に追加されることが可能である。
【０１５２】
(1)任意選択の解決策において、端末は、パンクチャされたランダムアクセスリソースが位置するアップリンクスロットとは異なるアップリンクスロット内に実際に利用可能なランダムアクセスリソースを追加する。
【０１５３】
例えば、端末は、パンクチャされたランダムアクセスリソースが位置するアップリンクスロットに隣接したアップリンクスロット内に新しいランダムアクセスリソースを追加し、新しいランダムアクセスリソースを、実際に利用可能なランダムアクセスリソースとして使用する。例えば、ランダムアクセスリソースは、パンクチャされたランダムアクセスリソースが位置するアップリンクスロットの前の(K1)番目のアップリンクサブフレーム、スロット、またはOFDMシンボル内に追加される。他の例として、ランダムアクセスリソースは、パンクチャされたランダムアクセスリソースが位置するアップリンクスロットの前の(K2)番目のアップリンクサブフレーム、スロット、またはOFDMシンボル内に追加される。K1およびK2は負ではない整数である。任意選択として、K1およびK2は予めセットされた値、または予めセットされたルールに従って決定された値である。例えば、K1およびK2はそれぞれ、固定された1つのスロットである。任意選択として、追加されたランダムアクセスリソースの個数は、パンクチャされたランダムアクセスリソースの個数とは異なり、例えばこの個数より多い。任意選択として、追加されたランダムアクセスリソースの個数は、パンクチャされたランダムアクセスリソースの個数とは異なり、例えばこの個数より少ない。任意選択として、追加されることになるランダムアクセスリソースの個数は、利用可能なアップリンクサブフレーム、スロット、またはOFDMシンボルの個数に基づいて決定される。
【０１５４】
図9は、本出願によるさらに他のリソース構造の概略図である。図10は、本出願による他のリソース構造の概略図である。
【０１５５】
図9および図10に示されるように、ダウンリンク信号は、パンクチャされたランダムアクセスリソースが位置するアップリンクスロットに隣接したアップリンクスロット内で伝送されず、スロット内のいくつかまたは全てのリソースが、ランダムアクセスプリアンブルを伝送するために使用されると決定される。
【０１５６】
(2)他の任意選択の解決策において、端末は、実際に送信されたダウンリンク信号の位置と位置が重なり合わないランダムアクセスリソースが位置するアップリンクスロットの周波数ドメイン位置の中に新しいランダムアクセスリソースを追加し、新しいランダムアクセスリソースを、実際に利用可能なランダムアクセスリソースとして使用する。
【０１５７】
図11は、本出願によるさらに他のリソース構造の概略図である。図12は、本出願による他のリソース構造の概略図である。
【０１５８】
図11および図12に示されるように、ランダムアクセスリソースは、周波数ドメインの中に追加され、新たに追加されたランダムアクセスリソースも、時間内に実際に送信されたダウンリンク信号と重なり合わない。
【０１５９】
任意選択として、周波数ドメインの中に追加されるランダムアクセスリソースの個数は、ネットワークデバイスによって構成されたチャネル帯域幅または初期アップリンクアクセス帯域幅を超過しない。
【０１６０】
(3)さらに他の任意選択の解決策において、端末は、実際に送信されたダウンリンク信号の位置と位置が重なり合わないランダムアクセスリソースが位置するアップリンクスロットの他のOFDMシンボル内に新しいランダムアクセスリソースを追加し、新しいランダムアクセスリソースを、実際に利用可能なランダムアクセスリソースとして使用する。任意選択として、追加されることになるランダムアクセスリソースの個数は、利用可能なアップリンクサブフレーム、スロット、またはOFDMシンボルの個数に基づいて決定される。
【０１６１】
図13は、本出願によるさらに他のリソース構造の概略図である。図14は、本出願による他のリソース構造の概略図である。
【０１６２】
図13および図14に示されるように、新しいランダムアクセスリソースは、パンクチャされたランダムリソースが位置するスロットの他のOFDMシンボル内に追加され、実際に利用可能なランダムアクセスリソースとして使用される。
【０１６３】
任意選択として、時間ドメインにおいて、追加されたランダムアクセスリソースは、ランダムアクセス構成期間内の他のアップリンクスロット、またはOFDMシンボルの位置の中に均一に分配されることが可能である。このことは本明細書において限定されない。
【０１６４】
(4)任意選択の解決策において、ネットワークデバイスは、ランダムアクセスリソースを追加するためのアップリンク時間位置を指示することができ、端末は、ネットワークデバイスによって指示されたアップリンク時間位置の中にランダムアクセスリソースを追加する。
【０１６５】
ネットワークデバイスによって指示されるアップリンクランダムアクセスリソースについてのアップリンク時間位置における代替のランダムアクセスリソースが存在してもよい。実際に送信されたダウンリンク信号についての時間位置が、ランダムアクセスリソースについての時間位置と重なり合うとき、または実際に送信されたダウンリンク信号についての時間位置と時間位置が重なり合うランダムアクセスリソースの個数が、第1の予めセットされた閾値より多いとき、または実際に送信されたダウンリンク信号の個数が、第2の予めセットされた閾値より多いとき、代替のランダムアクセスリソースがアクティブにされる。
【０１６６】
ランダムアクセスリソースを追加するための前述の4つの解決策のために、種々の識別子が構成されることが可能であるということに留意されたい。例えば、識別のために2ビットが使用される。ネットワークデバイスは、ランダムアクセスリソースを追加するためにどの解決策が使用されることになるかについて端末がわかるように、「ランダムアクセスリソースを追加するための解決策」の識別子を構成情報に追加する。
【０１６７】
さらに、新たに追加されたランダムアクセスリソース上でランダムアクセスプリアンブルを端末が送信するとき、送信方法は以前の送信方法に類似している。このことは本明細書において限定されない。
【０１６８】
任意選択として、いくつかのランダムアクセスリソースがパンクチャされることになると決定された後、ランダムアクセス構成期間は、さらに調整されうる。
【０１６９】
1つの方式において、元のN個のランダムアクセス構成期間内のランダムアクセスリソースは、M個の新しいランダムアクセス構成期間内にあるように調整されうる。NおよびMは、0より大きい任意の整数であってもよい。新しいランダムアクセス構成期間内には、ダウンリンク信号についての時間位置と時間位置が重なり合うランダムアクセスリソースがない。
【０１７０】
任意選択として、調整前のN個のランダムアクセス構成期間内のランダムアクセスリソースの総数は、調整後のM個の新しいランダムアクセス構成期間内のランダムアクセスリソースの総数より多い、または
調整前のN個のランダムアクセス構成期間内のランダムアクセスリソースの総数は、調整後のM個の新しいランダムアクセス構成期間内のランダムアクセスリソースの総数に等しい、または
調整前のN個のランダムアクセス構成期間内のランダムアクセスリソースの総数は、調整後のM個の新しいランダムアクセス構成期間内のランダムアクセスリソースの総数より少ない。
【０１７１】
任意選択として、調整前の1つのランダムアクセス構成期間内のランダムアクセスリソースの総数は、調整後の1つの新しいランダムアクセス構成期間内のランダムアクセスリソースの総数より多い、または
調整前の1つのランダムアクセス構成期間内のランダムアクセスリソースの総数は、調整後の1つの新しいランダムアクセス構成期間内のランダムアクセスリソースの総数に等しい、または
調整前の1つのランダムアクセス構成期間内のランダムアクセスリソースの総数は、調整後の1つの新しいランダムアクセス構成期間内のランダムアクセスリソースの総数より少ない。
【０１７２】
ランダムアクセス構成期間を調整することは、ランダムアクセスリソースを追加することおよび/またはパンクチャすることを含みうることに留意されたい。
【０１７３】
図15は、本出願によるさらに他のリソース構造の概略図である。図15に示されるように、実際に伝送されたダウンリンク信号、すなわち第1の行における黒い部分が最初に決定される。
【０１７４】
さらに、ランダムアクセス構成期間は、ランダムアクセスリソースを追加することおよび/またはパンクチャすることによって調整される。
【０１７５】
前述の実施形態に基づいて、S201の前に、ランダムアクセスリソース調整方式は、実際に送信されたダウンリンク信号、ダウンリンク信号を実際に送信するための期間、または1つのランダムアクセス構成期間内にあり、実際に送信されたダウンリンク信号についての時間位置と時間位置が重なり合うランダムアクセスリソースの個数、の1つまたは複数に基づいてさらに決定されうる。
【０１７６】
例えば、1つのランダムアクセス構成期間内にあり、実際に送信されたダウンリンク信号についての時間位置と時間位置が重なり合うランダムアクセスリソースの個数が、第1の予めセットされた閾値より多いとき、ランダムアクセスリソースが追加されることになると決定される。ランダムアクセスリソースを追加するための具体的な方式については、図9から図14までに示された実施形態を参照されたい。詳細は本明細書で再び説明されない。
【０１７７】
あるいは、1つのランダムアクセス構成期間内にあり、実際に送信されたダウンリンク信号についての時間位置と時間位置が重なり合うランダムアクセスリソースの個数が、第1の予めセットされた閾値以下であるとき、ランダムアクセス構成期間が調整されることになると決定される。
【０１７８】
あるいは、前述の実施形態に基づいて、S201の前に、端末は、ダウンリンク/アップリンクフレームフォーマット構成、スロットフォーマット構成情報、またはランダムアクセス構成情報、の1つまたは複数に基づいてランダムアクセスリソース調整方式をさらに決定しうる。
【０１７９】
端末は調整を行い、ネットワークデバイスも対応する調整を行う必要があり、例えば、ダウンリンク信号とランダムアクセスリソースとの間の関連付け関係を調整すること、またはランダムアクセス構成期間を調整すること、を行う必要があるということに留意されたい。詳細は本明細書で再び説明されない。
【０１８０】
さらに、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定する前に、端末は、ダウンリンク信号とランダムアクセスリソースとの間の新しい関連付け関係を取得するために、実際に送信されたダウンリンク信号、および実際に利用可能なランダムアクセスリソースに基づいて、ダウンリンク信号とランダムアクセスリソースとの間の関連付け関係をさらに更新しうる。
【０１８１】
具体的には、いくつかの元のランダムアクセスリソースが利用不可であると決定されることが理由で、新しい実際に利用可能なランダムアクセスリソースがさらに追加されていた可能性があり、したがってダウンリンク信号とランダムアクセスリソースとの間の関連付け関係も、適応的に更新され、調整される必要がある。
【０１８２】
調整後、端末は、実際に利用可能なランダムアクセスリソース、およびダウンリンク信号とランダムアクセスリソースとの間の調整された関連付け関係に基づいて、実際に送信されたダウンリンク信号に対応する対象ランダムアクセスリソースを決定する。
【０１８３】
具体的には、パンクチャされたランダムアクセスリソースと当初関連付けられたダウンリンク信号および/またはダウンリンク信号のグループは、ランダムアクセス構成期間内の残りのランダムアクセスリソースと関連付けられうる。
【０１８４】
あるいは、実際に伝送されたダウンリンク信号のそれぞれと関連付けられたランダムアクセスリソースの個数が更新される。実際に伝送されたダウンリンク信号のそれぞれと関連付けられたランダムアクセスリソースの更新された個数は、それぞれのダウンリンク信号と関連付けられたランダムアクセスリソースの元の個数より少ない。
【０１８５】
あるいは、実際に伝送されたダウンリンク信号の一部と関連付けられたランダムアクセスリソースの個数が更新される。更新後、実際に伝送されたダウンリンク信号のこの部分と関連付けられたランダムアクセスリソースの更新された個数は、実際に伝送されたダウンリンク信号のこの部分と関連付けられたランダムアクセスリソースの元の個数より少ない。
【０１８６】
あるいは、調整されたランダムアクセス構成期間は変化しないままであり、ランダムアクセスリソースは、調整されたランダムアクセス構成期間の中に追加され、それぞれのダウンリンク信号またはいくつかのダウンリンク信号と関連付けられたランダムアクセスリソースの時間位置および/または周波数位置は調整される。すなわち、追加された実際に利用可能なランダムアクセスリソースは、それぞれの実際に送信されたダウンリンク信号またはいくつかの実際に送信されたダウンリンク信号と関連付けられる。
【０１８７】
あるいは、調整されたランダムアクセス構成期間は長くなり、それぞれのダウンリンク信号またはいくつかのダウンリンク信号と関連付けられたランダムアクセスリソースの時間位置および/または周波数位置は、調整されたランダムアクセス構成期間内のランダムアクセスリソースに基づいて調整される。
【０１８８】
あるいは、調整されたランダムアクセス構成期間は短くなり、それぞれのダウンリンク信号またはいくつかのダウンリンク信号と関連付けられたランダムアクセスリソースの時間位置および/または周波数位置は、調整されたランダムアクセス構成期間内のランダムアクセスリソースに基づいて調整される。
【０１８９】
あるいは、調整されたランダムアクセス構成期間に基づいて、ダウンリンク信号とランダムアクセスリソースを関連付ける方式が変更されることになると決定される。具体的には、実際に送信されたダウンリンク信号と、ランダムアクセスリソースとの間の1対1の関連付けは、複数の実際に送信されたダウンリンク信号と、1つのランダムアクセスリソースとの間の関連付けに変更されうる。あるいは、複数の実際に送信されたダウンリンク信号と、1つのランダムアクセスリソースとの間の関連付けは、複数の実際に送信されたダウンリンク信号と、複数のランダムアクセスリソースとの間の関連付けに変更されうる。あるいは、関連付け方式は、全ての実際に送信されたダウンリンク信号を同じランダムアクセスリソースにマッピングすることに変更されうる。あるいは、関連付け方式は、いくつかの実際に送信されたダウンリンク信号と、ランダムアクセスリソースとの間の1対1の関連付け、および実際に送信されたダウンリンク信号の他の部分における1つのランダムアクセスリソースと、複数の実際に送信されたダウンリンク信号との間の関連付けに変更されうる。
【０１９０】
前述の実施形態に基づいて、ランダムアクセスリソースについての時間位置は、セミ・パーシステント・スケジューリング信号についての時間位置と重なり合うことが可能である。
【０１９１】
実際に送信されたダウンリンク信号、ランダムアクセスリソース、およびセミ・パーシステント・スケジューリング信号の中で、実際に送信されたダウンリンク信号が最も高い優先度を有する。実際に送信されたダウンリンク信号、ランダムアクセスリソース、およびセミ・パーシステント・スケジューリング信号の時間位置が重なり合うと、ダウンリンク信号が優先的に送信され、他の信号は一時的に伝送されない。
【０１９２】
ランダムアクセスリソースおよびセミ・パーシステント・スケジューリング信号の優先度は、実際の要件に応じて構成されうる。
【０１９３】
任意選択として、端末は、ランダムアクセスリソースについての時間位置情報、およびセミ・パーシステント・スケジューリング信号についての時間位置情報に基づいて、セミ・パーシステント・スケジューリング信号についての時間位置と時間位置が重なり合うランダムアクセスリソースを決定する。
【０１９４】
1つの方式において、ランダムアクセスリソースの優先度は、セミ・パーシステント・スケジューリング信号の優先度より高く、端末は、ランダムアクセスリソースについての時間位置と時間位置が重なり合うセミ・パーシステント・スケジューリング信号をパンクチャする。
【０１９５】
他の方式において、
セミ・パーシステント・スケジューリング信号についての時間位置と時間位置が重なり合うランダムアクセスリソースがパンクチャされる、または
セミ・パーシステント・スケジューリング信号についての時間位置と時間位置が重なり合うランダムアクセスリソース、およびセミ・パーシステント・スケジューリング信号についての時間位置と時間位置が重なり合うランダムアクセスリソースの前にあり、セミ・パーシステント・スケジューリング信号についての時間位置と時間位置が重なり合うランダムアクセスリソースが位置するスロット内にある全てのランダムアクセスリソースがパンクチャされる、または
セミ・パーシステント・スケジューリング信号についての時間位置と時間位置が重なり合うランダムアクセスリソースが位置するスロット内の全てのランダムアクセスリソースがパンクチャされる。
【０１９６】
ネットワークデバイスも、ランダムアクセスリソースについての時間位置情報、およびセミ・パーシステント・スケジューリング信号についての時間位置情報に基づいて、セミ・パーシステント・スケジューリング信号についての時間位置と時間位置が重なり合うランダムアクセスリソースを決定するということに留意されたい。
【０１９７】
具体的には、ネットワークデバイスは、セミ・パーシステント・スケジューリング信号についての時間位置と時間位置が重なり合うランダムアクセスリソース上でランダムアクセスプリアンブルが伝送されることにならないことを決定する、またはセミ・パーシステント・スケジューリング信号についての時間位置と時間位置が重なり合うランダムアクセスリソース、もしくはセミ・パーシステント・スケジューリング信号についての時間位置と時間位置が重なり合うランダムアクセスリソースの前にあり、セミ・パーシステント・スケジューリング信号についての時間位置と時間位置が重なり合うランダムアクセスリソースが位置するスロット内にある任意のランダムアクセスリソース上でランダムアクセスプリアンブルが伝送されることにならないことを決定する、またはセミ・パーシステント・スケジューリング信号についての時間位置と時間位置が重なり合うランダムアクセスリソースが位置するスロット内の任意のランダムアクセスリソース上でランダムアクセスプリアンブルが伝送されることにならないことを決定する。
【０１９８】
さらに、ランダムアクセスプリアンブルフォーマットは、A0、A1、A2、A3、B0、B1、B2、B3、B4、C0、もしくはC2という、既存の標準におけるテーブル1(表1)におけるフォーマットの1つもしくは複数であることが可能であり、または0、1、2、もしくは3という、テーブル2(表2)におけるフォーマットの1つもしくは複数であることも可能である、ということに留意されたい。実際には、フォーマットA0からC2まで、およびフォーマット0から3までは、他の名前を有することもできる。このことは本明細書において限定されない。
【０１９９】
具体的には、表1は、シーケンス長Lが127または139であるときに使用されるプリアンブルフォーマットをリスト化している。
【０２００】
【表１】
2020529756.tif 000003
【０２０１】
表2は、シーケンス長Lが839であるときに使用されるプリアンブルフォーマットをリスト化している。
【０２０２】
【表２】
2020529756.tif 000004
【０２０３】
K=64である。ΔfRAは、ランダムアクセスプリアンブルサブキャリア間隔を示す。Nuは、ランダムアクセスプリアンブルシーケンスの長さを示す。
【０２０４】
【数１】
2020529756.tif 000005
【０２０５】
は、ランダムアクセスプリアンブルのサイクリックプレフィックス(cyclic prefix、CP)長を示す。
【０２０６】
【数２】
2020529756.tif 000006
【０２０７】
は、ガード期間を示す。
【０２０８】
前述の実施形態に基づいて、端末は、ランダムアクセスプリアンブルフォーマットに基づいてパンクチャされたランダムアクセスリソースの個数、および実際に送信されたダウンリンク信号とランダムアクセスリソースとの間にあり、ランダムアクセスリソースが位置するスロット内にある重なり合うOFDMシンボルの個数を決定することができる。
【０２０９】
ランダムアクセスリソースが位置するスロット内の実際に送信されたダウンリンク信号と、ランダムアクセスリソースとの間に2つの連続的な重なり合うOFDMシンボルがあるときは、表3を参照されたい。
【０２１０】
【表３】
2020529756.tif 000007
【０２１１】
ランダムアクセスリソースが位置するスロット内の実際に送信されたダウンリンク信号と、ランダムアクセスリソースとの間に2つの連続的な重なり合うOFDMシンボルがあるとき、ランダムアクセスプリアンブルフォーマットがA0である場合、パンクチャされたランダムアクセスリソースの個数が1つまたは2つのOFDMシンボルであると決定されること、ランダムアクセスプリアンブルフォーマットがA1である場合、パンクチャされたランダムアクセスリソースの個数が1つのOFDMシンボルであると決定されること、ランダムアクセスプリアンブルフォーマットがB1である場合、パンクチャされたランダムアクセスリソースの個数が1つのOFDMシンボルであると決定されること、またはランダムアクセスプリアンブルフォーマットがC1である場合、パンクチャされたランダムアクセスリソースの個数が1つのOFDMシンボルであると決定されることがわかる。
【０２１２】
ランダムアクセスリソースが位置するスロット内の実際に送信されたダウンリンク信号と、ランダムアクセスリソースとの間に3つの連続的な重なり合うOFDMシンボルがあるときは、表4を参照されたい。
【０２１３】
【表４】
2020529756.tif 000008
【０２１４】
ランダムアクセスリソースが位置するスロット内の実際に送信されたダウンリンク信号と、ランダムアクセスリソースとの間に3つの連続的な重なり合うOFDMシンボルがあるとき、ランダムアクセスプリアンブルフォーマットがA0である場合、パンクチャされたランダムアクセスリソースの個数が1つ、2つ、または3つのOFDMシンボルであると決定されることなどがわかる。詳細は再び説明されない。
【０２１５】
ランダムアクセスリソースが位置するスロット内の実際に送信されたダウンリンク信号と、ランダムアクセスリソースとの間に4つの連続的な重なり合うOFDMシンボルがあるときは、表5を参照されたい。
【０２１６】
【表５】
2020529756.tif 000009
【０２１７】
ランダムアクセスリソースが位置するスロット内の実際に送信されたダウンリンク信号と、ランダムアクセスリソースとの間に4つの連続的な重なり合うOFDMシンボルがあるとき、ランダムアクセスプリアンブルフォーマットがA0である場合、パンクチャされたランダムアクセスリソースの個数が1つ、2つ、3つ、または4つのOFDMシンボルであると決定されることなどがわかる。詳細は再び説明されない。
【０２１８】
ランダムアクセスリソースが位置するスロット内の実際に送信されたダウンリンク信号と、ランダムアクセスリソースとの間に5つの連続的な重なり合うOFDMシンボルがあるときは、表6を参照されたい。
【０２１９】
【表６】
2020529756.tif 000010
【０２２０】
ランダムアクセスリソースが位置するスロット内の実際に送信されたダウンリンク信号と、ランダムアクセスリソースとの間に5つの連続的な重なり合うOFDMシンボルがあるとき、ランダムアクセスプリアンブルフォーマットがA0である場合、パンクチャされたランダムアクセスリソースの個数が1つ、2つ、3つ、4つ、または5つのOFDMシンボルであると決定されることなどがわかる。詳細は再び説明されない。
【０２２１】
ランダムアクセスリソースが位置するスロット内の実際に送信されたダウンリンク信号と、ランダムアクセスリソースとの間に6つの連続的な重なり合うOFDMシンボルがあるときは、表7を参照されたい。
【０２２２】
【表７】
2020529756.tif 000011
【０２２３】
ランダムアクセスリソースが位置するスロット内の実際に送信されたダウンリンク信号と、ランダムアクセスリソースとの間に6つの連続的な重なり合うOFDMシンボルがあるとき、ランダムアクセスプリアンブルフォーマットがA0である場合、パンクチャされたランダムアクセスリソースの個数が1つ、2つ、3つ、4つ、5つ、または6つのOFDMシンボルであると決定されることなどがわかる。詳細は再び説明されない。
【０２２４】
ランダムアクセスリソースが位置するスロット内の実際に送信されたダウンリンク信号と、ランダムアクセスリソースとの間に7つの連続的な重なり合うOFDMシンボルがあるときは、表8を参照されたい。
【０２２５】
【表８】
2020529756.tif 000012
【０２２６】
ランダムアクセスリソースが位置するスロット内の実際に送信されたダウンリンク信号と、ランダムアクセスリソースとの間に7つの連続的な重なり合うOFDMシンボルがあるとき、ランダムアクセスプリアンブルフォーマットがA0である場合、パンクチャされたランダムアクセスリソースの個数が1つ、2つ、3つ、4つ、5つ、6つ、または7つのOFDMシンボルであると決定されることなどがわかる。詳細は再び説明されない。
【０２２７】
ランダムアクセスリソースが位置するスロット内の実際に送信されたダウンリンク信号と、ランダムアクセスリソースとの間に8つの連続的な重なり合うOFDMシンボルがあるときは、表9を参照されたい。
【０２２８】
【表９】
2020529756.tif 000013
【０２２９】
ランダムアクセスリソースが位置するスロット内の実際に送信されたダウンリンク信号と、ランダムアクセスリソースとの間に8つの連続的な重なり合うOFDMシンボルがあるとき、ランダムアクセスプリアンブルフォーマットがA0である場合、パンクチャされたランダムアクセスリソースの個数が1つ、2つ、3つ、4つ、5つ、6つ、7つ、または8つのOFDMシンボルであると決定されることなどがわかる。詳細は再び説明されない。
【０２３０】
ランダムアクセスリソースが位置するスロット内の実際に送信されたダウンリンク信号と、ランダムアクセスリソースとの間に9つの連続的な重なり合うOFDMシンボルがあるときは、表10を参照されたい。
【０２３１】
【表１０】
2020529756.tif 000014
【０２３２】
ランダムアクセスリソースが位置するスロット内の実際に送信されたダウンリンク信号と、ランダムアクセスリソースとの間に9つの連続的な重なり合うOFDMシンボルがあるとき、ランダムアクセスプリアンブルフォーマットがA0である場合、パンクチャされたランダムアクセスリソースの個数が1つ、2つ、3つ、4つ、5つ、6つ、7つ、8つ、または9つのOFDMシンボルであると決定されることなどがわかる。詳細は再び説明されない。
【０２３３】
ランダムアクセスリソースが位置するスロット内の実際に送信されたダウンリンク信号と、ランダムアクセスリソースとの間に10個の連続的な重なり合うOFDMシンボルがあるときは、表11を参照されたい。
【０２３４】
【表１１】
2020529756.tif 000015
【０２３５】
ランダムアクセスリソースが位置するスロット内の実際に送信されたダウンリンク信号と、ランダムアクセスリソースとの間に10個の連続的な重なり合うOFDMシンボルがあるとき、ランダムアクセスプリアンブルフォーマットがA0である場合、パンクチャされたランダムアクセスリソースの個数が1、2、3、4、5、6、7、8、9、または10個のOFDMシンボルであると決定されることなどがわかる。詳細は再び説明されない。
【０２３６】
ランダムアクセスリソースが位置するスロット内の実際に送信されたダウンリンク信号と、ランダムアクセスリソースとの間に11個の連続的な重なり合うOFDMシンボルがあるときは、表12を参照されたい。
【０２３７】
【表１２】
2020529756.tif 000016
【０２３８】
ランダムアクセスリソースが位置するスロット内の実際に送信されたダウンリンク信号と、ランダムアクセスリソースとの間に11個の連続的な重なり合うOFDMシンボルがあるとき、ランダムアクセスプリアンブルフォーマットがA0である場合、パンクチャされたランダムアクセスリソースの個数が1、2、3、4、5、6、7、8、9、10、または11個のOFDMシンボルであると決定されることなどがわかる。詳細は再び説明されない。
【０２３９】
ランダムアクセスリソースが位置するスロット内の実際に送信されたダウンリンク信号と、ランダムアクセスリソースとの間に12個の連続的な重なり合うOFDMシンボルがあるときは、表13を参照されたい。
【０２４０】
【表１３】
2020529756.tif 000017
【０２４１】
ランダムアクセスリソースが位置するスロット内の実際に送信されたダウンリンク信号と、ランダムアクセスリソースとの間に12個の連続的な重なり合うOFDMシンボルがあるとき、ランダムアクセスプリアンブルフォーマットがA0である場合、パンクチャされたランダムアクセスリソースの個数が1、2、3、4、5、6、7、8、9、10、11、または12個のOFDMシンボルであると決定されることなどがわかる。詳細は再び説明されない。
【０２４２】
ランダムアクセスリソースが位置するスロット内の実際に送信されたダウンリンク信号と、ランダムアクセスリソースとの間に13個の連続的な重なり合うOFDMシンボルがあるときは、表14を参照されたい。
【０２４３】
【表１４】
2020529756.tif 000018
【０２４４】
ランダムアクセスリソースが位置するスロット内の実際に送信されたダウンリンク信号と、ランダムアクセスリソースとの間に13個の連続的な重なり合うOFDMシンボルがあるとき、ランダムアクセスプリアンブルフォーマットがA0である場合、パンクチャされたランダムアクセスリソースの個数が1、2、3、4、5、6、7、8、9、10、11、12、または13個のOFDMシンボルであると決定されることなどがわかる。詳細は再び説明されない。
【０２４５】
ランダムアクセスリソースが追加されるとき、追加されたランダムアクセスプリアンブルの個数は、ランダムアクセスプリアンブルの時間スケールに対応する、利用可能なアップリンクサブフレーム、スロット、またはOFDMシンボルの期間に関連するということを理解されたい。例えば、時間内に追加されたランダムアクセスプリアンブルの個数は、表1から表12までに基づいて決定され、追加されたランダムアクセスプリアンブルの個数は、対応するテーブルにおいて許容される最大個数を超過することができない。
【０２４６】
図16(a)から図16(g)は、本出願によるランダムアクセスプリアンブルフォーマットの概略図である。詳細は、以下のようなものである。
【０２４７】
図16(a)において、N個のランダムアクセスプリアンブルフォーマットA0が、サブフレーム(subframe)内に連続的に分配される。対応するサブキャリア間隔において、N個のランダムアクセスプリアンブルフォーマットA0の総持続期間は、1つのサブフレームを超過しない。他の実装形態において、N個のランダムアクセスプリアンブルフォーマットA0の総持続期間は、K個のスロットを超過しない。KおよびNは正の整数である。
【０２４８】
図16(b)において、N個のランダムアクセスプリアンブルフォーマットA1/B1が、サブフレーム内に連続的に分配される。対応するサブキャリア間隔において、N個のランダムアクセスプリアンブルフォーマットA1/B1の総持続期間は、1つのサブフレームを超過しない。他の実装形態において、N個のランダムアクセスプリアンブルフォーマットA1/B1の総持続期間は、K個のスロットを超過しない。KおよびNは正の整数である。
【０２４９】
図16(c)において、N個のランダムアクセスプリアンブルフォーマットA2/B2が、サブフレーム内に連続的に分配される。対応するサブキャリア間隔において、N個のランダムアクセスプリアンブルフォーマットA2/B2の総持続期間は、1つのサブフレームを超過しない。他の実装形態において、N個のランダムアクセスプリアンブルフォーマットA2/B2の総持続期間は、K個のスロットを超過しない。KおよびNは正の整数である。
【０２５０】
図16(d)において、N個のランダムアクセスプリアンブルフォーマットA3/B3が、サブフレーム内に連続的に分配される。対応するサブキャリア間隔において、N個のランダムアクセスプリアンブルフォーマットA3/B3の総持続期間は、1つのサブフレームを超過しない。他の実装形態において、N個のランダムアクセスプリアンブルフォーマットA3/B3の総持続期間は、K個のスロットを超過しない。KおよびNは正の整数である。
【０２５１】
図16(e)において、N個のランダムアクセスプリアンブルフォーマットB4が、サブフレーム内に連続的に分配される。対応するサブキャリア間隔において、N個のランダムアクセスプリアンブルフォーマットB4の総持続期間は、1つのサブフレームを超過しない。他の実装形態において、N個のランダムアクセスプリアンブルフォーマットB4の総持続期間は、K個のスロットを超過しない。KおよびNは正の整数である。
【０２５２】
図16(f)において、N個のランダムアクセスプリアンブルフォーマットC0が、サブフレーム内に連続的に分配される。対応するサブキャリア間隔において、N個のランダムアクセスプリアンブルフォーマットC0の総持続期間は、1つのサブフレームを超過しない。他の実装形態において、N個のランダムアクセスプリアンブルフォーマットC0の総持続期間は、K個のスロットを超過しない。KおよびNは正の整数である。
【０２５３】
図16(g)において、N個のランダムアクセスプリアンブルフォーマットC2が、サブフレーム内に連続的に分配される。対応するサブキャリア間隔において、N個のランダムアクセスプリアンブルフォーマットC2の総持続期間は、1つのサブフレームを超過しない。他の実装形態において、N個のランダムアクセスプリアンブルフォーマットC2の総持続期間は、K個のスロットを超過しない。KおよびNは正の整数である。
【０２５４】
図17(a)から図17(g)は、本出願によるランダムアクセスプリアンブルフォーマットの概略図である。詳細は、以下のようなものである。
【０２５５】
図17(a)において、N個のランダムアクセスプリアンブルフォーマットA0が、スロット内に連続的に分配される。対応するサブキャリア間隔において、N個のランダムアクセスプリアンブルフォーマットA0の総持続期間は、1つのスロットを超過しない。Nは正の整数である。
【０２５６】
図17(b)において、N個のランダムアクセスプリアンブルフォーマットA1/B1が、スロット内に連続的に分配される。対応するサブキャリア間隔において、N個のランダムアクセスプリアンブルフォーマットA1/B1の総持続期間は、1つのスロットを超過しない。Nは正の整数である。
【０２５７】
図17(c)において、N個のランダムアクセスプリアンブルフォーマットA2/B2が、スロット内に連続的に分配される。対応するサブキャリア間隔において、N個のランダムアクセスプリアンブルフォーマットA2/B2の総持続期間は、1つのスロットを超過しない。Nは正の整数である。
【０２５８】
図17(d)において、N個のランダムアクセスプリアンブルフォーマットA3/B3が、スロット内に連続的に分配される。対応するサブキャリア間隔において、N個のランダムアクセスプリアンブルフォーマットA3/B3の総持続期間は、1つのスロットを超過しない。Nは正の整数である。
【０２５９】
図17(e)において、N個のランダムアクセスプリアンブルフォーマットB4が、スロット内に連続的に分配される。対応するサブキャリア間隔において、N個のランダムアクセスプリアンブルフォーマットB4の総持続期間は、1つのスロットを超過しない。Nは正の整数である。
【０２６０】
図17(f)において、N個のランダムアクセスプリアンブルフォーマットC0が、スロット内に連続的に分配される。対応するサブキャリア間隔において、N個のランダムアクセスプリアンブルフォーマットC0の総持続期間は、1つのスロットを超過しない、またはN個のランダムアクセスプリアンブルフォーマットC0の総持続期間は、K個のスロットを超過しない、ここで、Kは正の整数である。KおよびNは正の整数である。
【０２６１】
図17(g)において、N個のランダムアクセスプリアンブルフォーマットC2が、スロット内に連続的に分配される。対応するサブキャリア間隔において、N個のランダムアクセスプリアンブルフォーマットC2の総持続期間は、1つのスロットを超過しない。KおよびNは正の整数である。
【０２６２】
図16(a)から図16(g)までにおける、および図17(a)から図17(g)における、2つのランダムアクセスリソースパターンは、基地局の構成情報によって示されることが可能であり、または予め構成されることも可能であるということに留意されたい。例えば、図16(a)から図16(g)までに示される方式が固定的に使用される。他の例として、図17(a)から図17(g)までに示される方式が固定的に使用される。方式がネットワークデバイスによって指示されるとき、Flagを示すために1ビットが使用されうる。Flagが0であるとき、図16(a)から図16(g)までに示される方式が示され、またはFlagが1であるとき、図17(a)から図17(g)までに示される方式が示される。あるいは、Flagが1であるとき、図16(a)から図16(g)までに示される方式が示され、またはFlagが0であるとき、図17(a)から図17(g)までに示される方式が示される。
【０２６３】
図18は、本出願の実施形態による端末の概略構造図である。図18に示されるように、端末は、決定モジュール181および送信モジュール182を含む。
【０２６４】
決定モジュール181は、ランダムアクセスリソースについての時間位置情報、およびネットワークデバイスによって実際に送信されたダウンリンク信号についての時間位置情報に基づいて、実際に利用可能なランダムアクセスリソースを決定することであって、実際に利用可能なランダムアクセスリソースについての時間位置が、実際に送信されたダウンリンク信号についての時間位置と重なり合わない、決定することと、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定することと、を行うように構成される。
【０２６５】
送信モジュール182は、対象ランダムアクセスリソースを使用することによって、ランダムアクセスプリアンブルをネットワークデバイスに送信するように構成される。
【０２６６】
任意選択として、決定モジュール181は、ランダムアクセスリソースについての時間位置情報、およびネットワークデバイスによって実際に送信されたダウンリンク信号についての時間位置情報に基づいて、実際に送信されたダウンリンク信号についての時間位置と時間位置が重なり合うランダムアクセスリソースを決定することと、実際に送信されたダウンリンク信号についての時間位置と時間位置が重なり合わないランダムアクセスリソースを、実際に利用可能なランダムアクセスリソースとして使用することを決定することと、を行うように具体的に構成される。
【０２６７】
任意選択として、決定モジュール181は、実際に送信されたダウンリンク信号についての時間位置と時間位置が重なり合うランダムアクセスリソースをパンクチャすることを決定すること、または実際に送信されたダウンリンク信号についての時間位置と時間位置が重なり合うランダムアクセスリソース、および実際に送信されたダウンリンク信号についての時間位置と時間位置が重なり合うランダムアクセスリソースの前にあり、実際に送信されたダウンリンク信号についての時間位置と時間位置が重なり合うランダムアクセスリソースが位置するスロット内にある全てのランダムアクセスリソースをパンクチャすることを決定すること、または実際に送信されたダウンリンク信号についての時間位置と時間位置が重なり合うランダムアクセスリソースが位置するスロット内の全てのランダムアクセスリソースをパンクチャすることを決定すること、を行うようにさらに構成される。
【０２６８】
1つの実施形態において、ダウンリンク信号は、ダウンリンク同期信号ブロック、システム情報ブロック、残りの最小システム情報、新無線システム情報ブロック1 NR SIB1、新無線システム情報ブロック0 NR SIB0、半静的構成ダウンリンクサブフレーム、半静的構成スロット、半静的構成OFDMシンボル、または予約ダウンリンク信号、のうちの1つまたは複数である。
【０２６９】
他の実施形態において、ダウンリンク信号についての時間位置は、ダウンリンク信号によって占有されたスロット、ダウンリンク信号によって占有されたOFDMシンボル、またはダウンリンク/アップリンクガード期間、のうちの1つまたは複数に基づいて決定され、スロットは、ダウンリンク信号のサブキャリア間隔に基づき、ダウンリンク/アップリンクガード期間は、時間期間である。
【０２７０】
本発明の本実施形態、および前述の方法の実施形態は、同じアイデアに基づき、同じ技術的効果をもたらす。具体的な処理については、方法の実施形態の説明を参照されたい。詳細は本明細書で再び説明されない。
【０２７１】
図19は、本出願の他の実施形態による端末の概略構造図である。図19に示されるように、図18に基づいて、端末は、ネットワークデバイスによって送信された構成情報を受信するように構成された受信モジュール191をさらに含む。構成情報は、ランダムアクセスリソースが位置するスロットが、ランダムアクセスメッセージ1のサブキャリア間隔に基づくこと、ランダムアクセスリソースが位置するスロットが、ランダムアクセスメッセージ3のサブキャリア間隔に基づくこと、ランダムアクセスリソースが位置するスロットが、アップリンク初期アクセス帯域幅のサブキャリア間隔に基づくこと、ランダムアクセスリソースが位置するスロットが、ダウンリンク信号のサブキャリア間隔に基づくこと、またはランダムアクセスリソースが位置するスロットの長さ、のうちの1つまたは複数を示す。
【０２７２】
さらに、決定モジュール181は、ランダムアクセスリソースについての時間位置情報、およびセミ・パーシステント・スケジューリング信号についての時間位置情報に基づいて、ランダムアクセスリソースについての時間位置と時間位置が重なり合うセミ・パーシステント・スケジューリング信号を決定することと、ランダムアクセスリソースについての時間位置と時間位置が重なり合うセミ・パーシステント・スケジューリング信号をパンクチャすることを決定することと、を行うようにさらに構成される。
【０２７３】
さらに、決定モジュール181は、ランダムアクセスリソースについての時間位置情報、およびセミ・パーシステント・スケジューリング信号についての時間位置情報に基づいて、セミ・パーシステント・スケジューリング信号についての時間位置と時間位置が重なり合うランダムアクセスリソースを決定すること、ならびにセミ・パーシステント・スケジューリング信号についての時間位置と時間位置が重なり合うランダムアクセスリソースをパンクチャすることを決定すること、またはセミ・パーシステント・スケジューリング信号についての時間位置と時間位置が重なり合うランダムアクセスリソース、およびセミ・パーシステント・スケジューリング信号についての時間位置と時間位置が重なり合うランダムアクセスリソースの前にあり、セミ・パーシステント・スケジューリング信号についての時間位置と時間位置が重なり合うランダムアクセスリソースが位置するスロット内にある全てのランダムアクセスリソースをパンクチャすることを決定すること、またはセミ・パーシステント・スケジューリング信号についての時間位置と時間位置が重なり合うランダムアクセスリソースが位置するスロット内の全てのランダムアクセスリソースをパンクチャすることを決定すること、を行うようにさらに構成される。
【０２７４】
さらに、決定モジュール181は、パンクチャされたランダムアクセスリソースが位置するアップリンクスロットの前もしくは後にあるK番目のアップリンクスロット内に新しいランダムアクセスリソースを追加し、新しいランダムアクセスリソースを、実際に利用可能なランダムアクセスリソースとして使用することを決定することであって、Kが予めセットされた定数、もしくは予め構成された定数である、決定すること、または実際に送信されたダウンリンク信号の位置と位置が重なり合わないランダムアクセスリソースが位置するアップリンクスロットの周波数ドメイン位置の中に新しいランダムアクセスリソースを追加し、新しいランダムアクセスリソースを、実際に利用可能なランダムアクセスリソースとして使用することを決定すること、または実際に送信されたダウンリンク信号の位置と位置が重なり合わないランダムアクセスリソースが位置するアップリンクスロットの他の直交周波数分割多重OFDMシンボル内に新しいランダムアクセスリソースを追加し、新しいランダムアクセスリソースを、実際に利用可能なランダムアクセスリソースとして使用すること、を決定すること、を行うようにさらに構成される。
【０２７５】
任意選択として、1つの実装形態において、決定モジュール181は、ランダムアクセスプリアンブルフォーマットに基づいてパンクチャされたランダムアクセスリソースの個数、および実際に送信されたダウンリンク信号とランダムアクセスリソースとの間にあり、ランダムアクセスリソースが位置するスロット内にある重なり合うOFDMシンボルの個数を決定すること、を行うようにさらに構成される。
【０２７６】
他の実装形態において、決定モジュール181は、ダウンリンク信号とランダムアクセスリソースとの間の新しい関連付け関係を取得するために、実際に送信されたダウンリンク信号、および実際に利用可能なランダムアクセスリソースに基づいて、ダウンリンク信号とランダムアクセスリソースとの間の関連付け関係を更新することを決定すること、を行うようにさらに構成される。
【０２７７】
本発明の本実施形態、および前述の方法の実施形態は、同じアイデアに基づき、同じ技術的効果をもたらす。具体的な処理については、方法の実施形態の説明を参照されたい。詳細は本明細書で再び説明されない。
【０２７８】
図20は、本出願の実施形態によるネットワークデバイスの概略構造図である。図20に示されるように、ネットワークデバイスは、決定モジュール211および受信モジュール212を含む。
【０２７９】
決定モジュール211は、ランダムアクセスリソースについての時間位置情報、およびネットワークデバイスによって実際に送信されたダウンリンク信号についての時間位置情報に基づいて、実際に利用可能なランダムアクセスリソースを決定することであって、実際に利用可能なランダムアクセスリソースについての時間位置が、実際に送信されたダウンリンク信号についての時間位置と重なり合わない、決定することと、実際に利用可能なランダムアクセスリソース、およびダウンリンク信号とランダムアクセスリソースとの間の関連付け関係に基づいて、実際に送信されたダウンリンク信号に対応する対象ランダムアクセスリソースを決定することと、を行うように構成される。
【０２８０】
受信モジュール212は、実際に送信されたダウンリンク信号に対応する対象ランダムアクセスリソースに基づいて、端末によって送信されたランダムアクセスプリアンブルを受信するように構成される。
【０２８１】
任意選択として、決定モジュール211は、ランダムアクセスリソースについての時間位置情報、およびネットワークデバイスによって実際に送信されたダウンリンク信号についての時間位置情報に基づいて、実際に送信されたダウンリンク信号についての時間位置と時間位置が重なり合うランダムアクセスリソースを決定することと、実際に送信されたダウンリンク信号についての時間位置と時間位置が重なり合わないランダムアクセスリソースを、実際に利用可能なランダムアクセスリソースとして使用することを決定することと、を行うように具体的に構成される。
【０２８２】
任意選択として、ダウンリンク信号は、ダウンリンク同期信号ブロック、システム情報ブロック、残りの最小システム情報、新無線システム情報ブロック1 NR SIB1、新無線システム情報ブロック0 NR SIB0、半静的構成ダウンリンクサブフレーム、半静的構成スロット、半静的構成OFDMシンボル、または予約ダウンリンク信号、のうちの1つまたは複数である。
【０２８３】
本発明の本実施形態、および前述の方法の実施形態は、同じアイデアに基づき、同じ技術的効果をもたらす。具体的な処理については、方法の実施形態の説明を参照されたい。詳細は本明細書で再び説明されない。
【０２８４】
図21は、本出願の他の実施形態によるネットワークデバイスの概略構造図である。図21に示されるように、図20に基づいて、ネットワークデバイスは、構成情報を端末に送信するように構成された送信モジュール213をさらに含む。構成情報は、ランダムアクセスリソースが位置するスロットが、ランダムアクセスメッセージ1のサブキャリア間隔に基づくこと、ランダムアクセスリソースが位置するスロットが、ランダムアクセスメッセージ3のサブキャリア間隔に基づくこと、ランダムアクセスリソースが位置するスロットが、アップリンク初期アクセス帯域幅のサブキャリア間隔に基づくこと、ランダムアクセスリソースが位置するスロットが、ダウンリンク信号のサブキャリア間隔に基づくこと、またはランダムアクセスリソースが位置するスロットの長さ、のうちの1つまたは複数を示す。
【０２８５】
任意選択として、ダウンリンク信号についての時間位置は、ダウンリンク信号によって占有されたスロット、ダウンリンク信号によって占有されたOFDMシンボル、またはダウンリンク/アップリンクガード期間、のうちの1つまたは複数に基づいて決定され、スロットは、ダウンリンク信号のサブキャリア間隔に基づき、ダウンリンク/アップリンクガード期間は、時間期間である。
【０２８６】
任意選択として、決定モジュール211は、ダウンリンク信号とランダムアクセスリソースとの間の新しい関連付け関係を取得するために、実際に送信されたダウンリンク信号、および実際に利用可能なランダムアクセスリソースに基づいて、ダウンリンク信号とランダムアクセスリソースとの間の関連付け関係を更新することを決定すること、を行うようにさらに構成される。
【０２８７】
本発明の本実施形態、および前述の方法の実施形態は、同じアイデアに基づき、同じ技術的効果をもたらす。具体的な処理については、方法の実施形態の説明を参照されたい。詳細は本明細書で再び説明されない。
【０２８８】
装置のモジュール分割は、論理機能分割にすぎないということに留意されたい。実際の実装形態において、モジュールの全てまたはいくつかは、1つの物理エンティティに統合されてよく、または物理的に分離されてもよい。さらに、モジュールの全てが、ソフトウェアを起動する処理要素によって実行されることが可能である、またはモジュールの全てが、ハードウェアによって実行されることが可能である、またはモジュールのいくつかが、ソフトウェアを起動する処理要素によって実行されることが可能であり、モジュールのいくつかが、ハードウェアによって実行されることが可能である。例えば、決定モジュールは、独立処理要素であってもよく、または装置のチップに統合されてもよい。あるいは、決定モジュールは、プログラムコードの形で装置のメモリに格納され、装置の処理要素によって起動され、実行されることが可能である。装置は、前述の方法の実施形態において提供された方法を行うように構成されることが可能である。具体的な実装形態および技術的効果は、方法の実施形態のものに類似している。詳細は本明細書で再び説明されない。
【０２８９】
例えば、モジュールは、例えば、1つもしくは複数の特定用途向け集積回路(Application-Specific Integrated Circuit、ASIC)、1つもしくは複数のマイクロプロセッサ(digital signal processor、DSP)、または1つもしくは複数のフィールドプログラマブルゲートアレイ(Field Programmable Gate Array、FPGA)といった、前述の方法を実行するための1つまたは複数の集積回路として構成されることが可能である。他の例として、プログラムコードを起動することによって、処理要素によってモジュールの1つが実行されるとき、処理要素は、中央処理装置(Central Processing Unit、CPU)などの汎用プロセッサ、またはプログラムコードを起動することができる他のプロセッサであってもよい。他の例として、モジュールは、システムオンチップ(system-on-a-chip、SOC)の形で統合され、実行されることが可能である。他のモジュールの実装形態は類似している。さらに、モジュールのいくつかまたは全てが統合されてもよく、または独立して実行されてもよい。本明細書における処理要素は、信号処理能力を有する集積回路であってもよい。1つの実行処理において、前述の方法または前述のモジュールにおけるステップは、処理要素内のハードウェア統合型ロジック回路を使用することによって、またはソフトウェアの形の命令を使用することによって実行されることが可能である。
【０２９０】
例えば、モジュールは、例えば、1つもしくは複数の特定用途向け集積回路(Application-Specific Integrated Circuit、ASIC)、1つもしくは複数のマイクロプロセッサ(digital signal processor、DSP)、または1つもしくは複数のフィールドプログラマブルゲートアレイ(Field Programmable Gate Array、FPGA)といった、前述の方法を実行するための1つまたは複数の集積回路として構成されることが可能である。他の例として、プログラムコードを起動することによって、処理要素によってモジュールの1つが実行されるとき、処理要素は、中央処理装置(Central Processing Unit、CPU)などの汎用プロセッサ、またはプログラムコードを起動することができる他のプロセッサであってもよい。他の例として、モジュールは、システムオンチップ(system-on-a-chip、SOC)の形で統合され、実行されることが可能である。
【０２９１】
図22は、端末デバイスの簡素化した概略構造図である。理解および図式的な例示を容易にするために、図22において、端末デバイスが携帯電話である例が使用される。
【０２９２】
図22に示されるように、端末デバイスは、プロセッサ、メモリ、無線周波数回路、アンテナ、および入力/出力装置を含む。プロセッサは、通信プロトコルおよび通信データを処理すること、端末デバイスを制御すること、ソフトウェアプログラムを実行すること、ソフトウェアプログラムのデータを処理すること、および同様のことを行うように主に構成される。メモリは、ソフトウェアプログラムおよびデータを格納するように主に構成される。無線周波数回路は、ベースバンド信号と無線周波数信号との間の変換を行うこと、および無線周波数信号を処理することを行うように主に構成される。アンテナは、電磁波の形で無線周波数信号を送信すること、または受信することを行うように主に構成される。タッチスクリーン、表示画面、またはキーボードなどの入力/出力装置は、ユーザによって入力されたデータを受信すること、およびユーザにデータを出力することを行うように主に構成される。端末デバイスのいくつかのタイプは、入力/出力装置を有していなくてもよいということに留意されたい。
【０２９３】
データが送信される必要があるとき、プロセッサは、送信されることになるデータに対してベースバンド処理を行い、ベースバンド信号を無線周波数回路に出力する。無線周波数回路は、ベースバンド信号に対して無線周波数処理を行い、アンテナを通じて電磁波の形で無線周波数信号を送信する。データが端末デバイスに送信されるとき、無線周波数回路は、アンテナを通じて無線周波数信号を受信し、無線周波数信号をベースバンド信号に変換し、ベースバンド信号をプロセッサに出力する。プロセッサは、ベースバンド信号をデータに変換し、データを処理する。説明を容易にするために、図22は、1つのメモリおよび1つのプロセッサだけを示している。実際の端末デバイス製品には、1つまたは複数のプロセッサ、および1つまたは複数のメモリが存在することもある。メモリは、記録媒体、ストレージデバイス、または同様のものと呼ばれることもある。メモリは、プロセッサとは独立して配置されることが可能であり、またはプロセッサと統合されることも可能である。このことは、本出願の本実施形態において限定されない。
【０２９４】
本出願の本実施形態において、送信/受信機能を有するアンテナおよび無線周波数回路は、端末デバイスの受信ユニットおよび送信ユニット(または送受信ユニットとまとめて呼ばれてもよい)とみなされてよく、処理機能を有するプロセッサは、端末デバイスの処理ユニットとみなされてよい。図22に示されるように、端末デバイスは、受信ユニット1201、処理ユニット1202、および送信ユニット1203を含む。受信ユニット1201は、受信器、受信回路、または同様のものと呼ばれうる。送信ユニット1203は、伝送器、伝送回路、または同様のものと呼ばれうる。処理ユニットは、プロセッサ、処理基板、処理モジュール、処理装置、または同様のものと呼ばれうる。
【０２９５】
例えば、1つの実施形態において、送信ユニット1203は、図2に示された実施形態におけるステップS203を行うように構成される。
【０２９６】
図23は、ネットワークデバイスの簡素化した概略構造図である。ネットワークデバイスは、無線周波数信号の送信/受信および変換部分、ならびに部分1302を含む。無線周波数信号の送信/受信および変換部分は、受信ユニット部分1301および送信ユニット部分1303をさらに含む(これは、送受信ユニットとまとめて呼ばれうる)。無線周波数信号の送信/受信および変換部分は、無線周波数信号を送信/受信すること、および無線周波数信号とベースバンド信号との間の変換を行うことを行うように主に構成される。部分1302は、ベースバンド処理を行うこと、ネットワークデバイスを制御すること、および同様のことを行うように主に構成される。受信ユニット1301は、受信器、受信回路、または同様のものと呼ばれうる。送信ユニット1303は、伝送器、伝送回路、または同様のものと呼ばれうる。部分1302は、通常、ネットワークデバイスのコントロールセンタであり、通常、処理ユニットと呼ばれ、図5または図9における第2の通信装置によって行われるステップを行うようにネットワークデバイスを制御するように構成される。詳細に関しては、前述の関連部分における説明を参照されたい。
【０２９７】
部分1302は、1つまたは複数の基板を含むことができる。各基板は、1つまたは複数のプロセッサおよび1つまたは複数のメモリを含むことができる。プロセッサは、ベースバンド処理機能を実行してネットワークデバイスを制御するために、メモリ内のプログラムを読み込み、実行するように構成される。複数の基板がある場合、基板は、処理能力を改善するために相互接続されうる。任意選択の実装形態において、複数の基板が、1つもしくは複数のプロセッサを共有することができ、または複数の基板が、1つもしくは複数のメモリを共有することもでき、または複数の基板が、1つもしくは複数のプロセッサを共有することもできる。
【０２９８】
他の任意選択の実装形態において、システムオンチップ(system-on-chip、SoC)技術の発展に伴い、部分1302および部分1301の機能の全てまたはいくつかは、SoC技術を使用することによって実行されることが可能であり、例えば、1つの基地局機能チップによって実行されることが可能である。基地局機能チップは、プロセッサ、メモリ、およびアンテナインターフェースなどのデバイスと統合される。基地局に関する機能のプログラムはメモリに格納され、プロセッサは、基地局に関する機能を実行するためにこのプログラムを実行する。任意選択として、基地局機能チップは、基地局に関する機能を実行するために、チップの外部メモリから読み込むことも可能である。
【０２９９】
任意選択として、前述の実施形態におけるランダムアクセス方法が、ソフトウェアによって完全にまたは部分的に実行されるとき、端末またはネットワークデバイスは、あるいは、プロセッサだけを含むことも可能である。プログラムを格納するように構成されたメモリは、装置の外部に位置する。プロセッサは、メモリに格納されたプログラムを読み込み、実行するために、回路または電気ワイヤを使用することによってメモリに接続される。
【０３００】
プロセッサは、中央処理装置(central processing unit、CPU)、ネットワークプロセッサ(network processor、NP)、またはCPUおよびNPの組合せであってもよい。
【０３０１】
プロセッサは、ハードウェアチップをさらに含むことができる。ハードウェアチップは、特定用途向け集積回路(application-specific integrated circuit、ASIC)、プログラマブルロジックデバイス(programmable logic device、PLD)、またはこれらの組合せであってもよい。PLDは、コンプレックスプログラマブルロジックデバイス(complex programmable logic device、CPLD)、フィールドプログラマブルゲートアレイ(field programmable gate array、FPGA)、ジェネリックアレイロジック(generic array logic、GAL)、またはこれらのいずれかの組合せであってもよい。
【０３０２】
メモリは、ランダムアクセスメモリ(random access memory、RAM)などの揮発性メモリ(volatile memory)を含むことができ、またはメモリは、フラッシュメモリ(flash memory)、ハードディスクドライブ(hard disk drive、HDD)、もしくはソリッドステートドライブ(solid-state drive、SSD)などの不揮発性メモリ(non-volatile memory)を含むことができ、またはメモリは、前述のタイプのメモリの組合せを含むことができる。
【０３０３】
本出願の実施形態は、コンピュータ記録媒体をさらに提供する。コンピュータ記録媒体は、コンピュータプログラムを格納する。コンピュータプログラムは、前述の実施形態において提供されたランダムアクセス方法を行うために使用される。
【０３０４】
本出願の実施形態は、命令を含むコンピュータプログラム製品をさらに提供する。コンピュータプログラム製品がコンピュータ上で動くとき、コンピュータは、前述の実施形態において提供されたランダムアクセス方法を行うことを可能にされる。
【０３０５】
本出願の実施形態は、方法、システム、またはコンピュータプログラム製品として提供されることが可能であるということを当業者は理解するであろう。したがって、本出願は、ハードウェアのみの実施形態、ソフトウェアのみの実施形態、またはソフトウェアとハードウェアの組合せによる実施形態の形を使用することができる。さらに、本出願は、コンピュータ使用可能プログラムコードを含む、(ディスクメモリ、CD-ROM、光メモリ、および同様のものを含むがこれらに限定されない)1つまたは複数のコンピュータ使用可能記録媒体上で実行されるコンピュータプログラム製品の形を使用することができる。
【０３０６】
本出願は、本出願の実施形態による方法、デバイス(システム)、およびコンピュータプログラム製品の流れ図および/またはブロック図を参照しながら説明される。コンピュータプログラム命令は、流れ図および/またはブロック図における各処理および/または各ブロック、ならびに流れ図および/またはブロック図における処理および/またはブロックの組合せを実行するために使用されうるということが理解されよう。これらのコンピュータプログラム命令は、コンピュータ、または他の任意のプログラム可能データ処理デバイスのプロセッサによって実行される命令が、流れ図における1つもしくは複数の処理における特定の機能、および/またはブロック図における1つもしくは複数のブロックにおける特定の機能を実行するための装置を生成するように、汎用コンピュータ、専用コンピュータ、組込みプロセッサ、または機械を生成するための他の任意のプログラム可能データ処理デバイスのプロセッサに提供されることが可能である。
【０３０７】
これらのコンピュータプログラム命令は、コンピュータ可読メモリに格納されることが可能であり、コンピュータ可読メモリに格納された命令が、命令装置を含むアーチファクトを生成するように、特定の方式で機能することをコンピュータまたは他の任意のプログラム可能データ処理デバイスに命令することができる。命令装置は、流れ図における1つもしくは複数の処理における特定の機能、および/またはブロック図における1つもしくは複数のブロックにおける特定の機能を実行する。
【０３０８】
これらのコンピュータプログラム命令は、コンピュータまたは他のプログラム可能デバイス上で一連の動作およびステップが行われるように、コンピュータまたは他のプログラム可能データ処理デバイス上にロードされることが可能であり、このことにより、コンピュータ実行処理を生成する。したがって、コンピュータまたは他のプログラム可能デバイス上で実行される命令は、流れ図における1つもしくは複数の処理における特定の機能、および/またはブロック図における1つもしくは複数のブロックにおける特定の機能を実行するためのステップを提供する。
【符号の説明】
【０３０９】
01  通信システム、ワイヤレス通信ネットワーク
101  ネットワークデバイス
102  端末
181  決定モジュール
182  送信モジュール
191  受信モジュール
200  IPネットワーク、インターネットプロトコルネットワーク
211  決定モジュール
212  受信モジュール
213  送信モジュール
1201  受信ユニット
1202  処理ユニット
1203  送信ユニット
1301  受信ユニット部分
1302  部分
1303  送信ユニット部分
【図１】
2020529756.tif 000019
【図２】
2020529756.tif 000020
【図３】
2020529756.tif 000021
【図４】
2020529756.tif 000022
【図５】
2020529756.tif 000023
【図６】
2020529756.tif 000024
【図７】
2020529756.tif 000025
【図８】
2020529756.tif 000026
【図９】
2020529756.tif 000027
【図１０】
2020529756.tif 000028
【図１１】
2020529756.tif 000029
【図１２】
2020529756.tif 000030
【図１３】
2020529756.tif 000031
【図１４】
2020529756.tif 000032
【図１５】
2020529756.tif 000033
【図１６（ａ）】
2020529756.tif 000034
【図１６（ｂ）】
2020529756.tif 000035
【図１６（ｃ）】
2020529756.tif 000036
【図１６（ｄ）】
2020529756.tif 000037
【図１６（ｅ）】
2020529756.tif 000038
【図１６（ｆ）】
2020529756.tif 000039
【図１６（ｇ）】
2020529756.tif 000040
【図１７（ａ）】
2020529756.tif 000041
【図１７（ｂ）】
2020529756.tif 000042
【図１７（ｃ）】
2020529756.tif 000043
【図１７（ｄ）】
2020529756.tif 000044
【図１７（ｅ）】
2020529756.tif 000045
【図１７（ｆ）】
2020529756.tif 000046
【図１７（ｇ）】
2020529756.tif 000047
【図１８】
2020529756.tif 000048
【図１９】
2020529756.tif 000049
【図２０】
2020529756.tif 000050
【図２１】
2020529756.tif 000051
【図２２】
2020529756.tif 000052
【図２３】
2020529756.tif 000053
【手続補正書】
【提出日】令和2年2月10日(2020.2.10)
【手続補正２】
【補正対象書類名】明細書
【補正対象項目名】０００３
【補正方法】変更
【補正の内容】
【０００３】
新無線(New Radio、NR)技術において、基地局は、複数のビームを使用することによってダウンリンク信号を送信する。ダウンリンク信号は、ダウンリンク同期信号ブロック(synchronization/PBCH signal block、SS/PBCH block)、システム情報ブロック、残りの最小システム情報、システム情報ブロック1 NR (SIB1)、システム情報ブロック0 NR (SIB0)、半静的構成ダウンリンクサブフレームおよび/もしくはスロットおよび/もしくはOFDMシンボル、予約ダウンリンク信号(reserved downlink signal)、ダウンリンク復調用参照信号(Demodulation Reference Signal、DMRS)、またはダウンリンクチャネル状態情報-参照信号(Channel state information-reference signal、CSI-RS)でありうる。具体的には、基地局は、複数のビームを使用することによってセルをカバーする。基地局と端末の間の通信中、通信を行うために適切なビーム方向が必要とされる。基地局は、端末によって送信されたランダムアクセスプリアンブルを受信すること、ランダムアクセスレスポンスを端末に送信すること、および同様のことを行うための適切なビーム方向を必要とする。ダウンリンク信号は、時分割方式で送信される。具体的には、異なるダウンリンク信号が、異なる時間期間の中で送信され、端末によって送信されたランダムアクセスプリアンブルも、異なる時間期間の中で受信される。さらに、NR技術において、1つのダウンリンク信号セット内のダウンリンク信号の最大個数は、異なる周波数帯域に応じて異なり得る。例えば、3ギガヘルツ(GHz)未満では、1つのダウンリンク信号セット内のダウンリンク信号の最大個数は4であり、3GHz〜6GHzでは、1つのダウンリンク信号セット内のダウンリンク信号の最大個数は8であり、6GHzを超えると、1つのダウンリンク信号セット内のダウンリンク信号の最大個数は64である。ダウンリンク信号セット内の全てのダウンリンク信号は、5ミリ秒(ms)のウィンドウの中で異なるスロット、および直交周波数分割多重(orthogonal frequency division multiplexing、OFDM)シンボルにマッピングされる。
【手続補正３】
【補正対象書類名】明細書
【補正対象項目名】００１１
【補正方法】変更
【補正の内容】
【００１１】
可能な設計において、ダウンリンク信号は、ダウンリンク同期信号ブロック、システム情報ブロック、残りの最小システム情報、新無線システム情報ブロック1 NR (SIB1)、新無線システム情報ブロック0 NR SIB0、半静的構成ダウンリンクサブフレーム、半静的構成スロット、半静的構成OFDMシンボル、または予約ダウンリンク信号、のうちの1つまたは複数である。
【手続補正４】
【補正対象書類名】明細書
【補正対象項目名】００２１
【補正方法】変更
【補正の内容】
【００２１】
可能な設計において、ダウンリンク信号は、ダウンリンク同期信号ブロック、システム情報ブロック、残りの最小システム情報、新無線システム情報ブロック1 NR (SIB1)、新無線システム情報ブロック0 NR SIB0、半静的構成ダウンリンクサブフレーム、半静的構成スロット、半静的構成OFDMシンボル、または予約ダウンリンク信号、のうちの1つまたは複数である。
【手続補正５】
【補正対象書類名】明細書
【補正対象項目名】００３１
【補正方法】変更
【補正の内容】
【００３１】
可能な設計において、ダウンリンク信号は、ダウンリンク同期信号ブロック、システム情報ブロック、残りの最小システム情報、新無線システム情報ブロック1 NR (SIB1)、新無線システム情報ブロック0 NR (SIB0)、半静的構成ダウンリンクサブフレーム、半静的構成スロット、半静的構成OFDMシンボル、または予約ダウンリンク信号、のうちの1つまたは複数である。
【手続補正６】
【補正対象書類名】明細書
【補正対象項目名】００５７
【補正方法】変更
【補正の内容】
【００５７】
ダウンリンク信号は、同期信号ブロック(synchronization signal block、SS block)、システム情報ブロック、残りの最小システム情報(remaining minimum system information、RMSI)、新無線システム情報ブロック1 NR (SIB1)、新無線システム情報ブロック0 NR (SIB0)、予約(reserved)ダウンリンク信号、半静的構成ダウンリンクサブフレーム、半静的構成スロット、または半静的構成OFDMシンボル、のうちの1つまたは複数でありうる。
【手続補正７】
【補正対象書類名】明細書
【補正対象項目名】００８８
【補正方法】変更
【補正の内容】
【００８８】
本出願において、ランダムアクセスリソースが位置するスロットは、ランダムアクセスメッセージ1(MSG1)、ランダムアクセスメッセージ3(MSG3)、アップリンク初期アクセス帯域幅、ダウンリンク初期アクセス帯域幅、ダウンリンク同期信号ブロック、システム情報(例えば、新無線システム情報ブロック1 NR (SIB1)、または新無線システム情報ブロック0 NR (SIB0))、残りの最小システム情報(remaining minimum system information、RMSI)、もしくは他のダウンリンク信号(例えば、半静的構成ダウンリンクサブフレームおよび/またはスロットおよび/またはOFDMシンボル)、という信号のうちの少なくとも1つのサブキャリア間隔に基づき、またはランダムアクセスリソースが位置するスロットの長さは、ネットワークデバイスによって示される。
【手続補正８】
【補正対象書類名】明細書
【補正対象項目名】００８９
【補正方法】変更
【補正の内容】
【００８９】
新無線システム情報ブロック1 NR (SIB1)、新無線システム情報ブロック0 NR (SIB0)、およびダウンリンク信号は、半静的構成ダウンリンクサブフレームおよび/またはスロットおよび/またはOFDMシンボルである。ダウンリンク信号の1つまたは複数は、予約ダウンリンク信号である。
【手続補正９】
【補正対象書類名】明細書
【補正対象項目名】００９２
【補正方法】変更
【補正の内容】
【００９２】
本出願において、ダウンリンク同期信号ブロック、システム情報ブロック、残りの最小システム情報、新無線システム情報ブロック1 NR (SIB1)、新無線システム情報ブロック0 NR (SIB0)、半静的構成ダウンリンクサブフレームおよび/またはスロットおよび/またはOFDMシンボル、予約ダウンリンク信号、半永続的にスケジューリングされるダウンリンクサブフレームおよび/またはスロットおよび/またはOFDMシンボル、ダウンリンク復調用参照信号、ならびにダウンリンクチャネル状態情報-参照信号のサブキャリア間隔は、アップリンクPRACH、半静的構成アップリンクサブフレームおよび/またはスロットおよび/またはOFDMシンボル、予約アップリンク信号、ならびに半永続的にスケジューリングされるアップリンクサブフレームおよび/またはスロットおよび/またはOFDMシンボルのサブキャリア間隔とは異なる。したがって、スロットまたはOFDMシンボル長などの対応する時間スケールも異なり、異なる信号のサブキャリアの間の相違は、ランダムアクセスリソースの調整中に考慮される必要がある。
【手続補正１０】
【補正対象書類名】明細書
【補正対象項目名】０２８２
【補正方法】変更
【補正の内容】
【０２８２】
任意選択として、ダウンリンク信号は、ダウンリンク同期信号ブロック、システム情報ブロック、残りの最小システム情報、新無線システム情報ブロック1 NR (SIB1)、新無線システム情報ブロック0 NR (SIB0)、半静的構成ダウンリンクサブフレーム、半静的構成スロット、半静的構成OFDMシンボル、または予約ダウンリンク信号、のうちの1つまたは複数である。
【手続補正１１】
【補正対象書類名】特許請求の範囲
【補正対象項目名】全文
【補正方法】変更
【補正の内容】
【特許請求の範囲】
【請求項１】
通信システムのためのランダムアクセス方法であって、
ランダムアクセスリソースについての時間位置情報、およびダウンリンク信号についての時間位置情報に基づいて、実際に利用可能なランダムアクセスリソースを決定するステップであって、前記実際に利用可能なランダムアクセスリソースについての時間位置は、前記ダウンリンク信号についての前記時間位置と重なり合わない、ステップと、
前記実際に利用可能なランダムアクセスリソースに基づいて、ランダムアクセスプリアンブルをネットワークデバイスに送信するステップと
を含む、方法。
【請求項２】
ランダムアクセス構成インデックスを受信し、前記ランダムアクセス構成インデックスに基づいて、前記ランダムアクセスリソースについての前記時間位置情報を取得するステップをさらに含む、請求項1に記載の方法。
【請求項３】
ランダムアクセスプリアンブルサブキャリア間隔を取得し、前記ランダムアクセスプリアンブルサブキャリア間隔に基づいて、前記ランダムアクセスリソースについての前記時間位置情報を決定するステップをさらに含む、請求項1または2に記載の方法。
【請求項４】
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソースも使用せずに前記ランダムアクセスプリアンブルを送信するステップ
をさらに含む、請求項1から3のいずれか一項に記載の方法。
【請求項５】
前記ダウンリンク信号についての前記時間位置と時間位置が重なり合う前記ランダムアクセスリソースをパンクチャするステップ、または
前記ダウンリンク信号についての前記時間位置と時間位置が重なり合う前記ランダムアクセスリソース、および前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にある全てのランダムアクセスリソースをパンクチャするステップ、または
前記ダウンリンク信号についての前記時間位置と時間位置が重なり合う前記ランダムアクセスリソースが位置する前記スロット内の全てのランダムアクセスリソースをパンクチャするステップ
をさらに含む、請求項1から3のいずれか一項に記載の方法。
【請求項６】
前記ランダムアクセスリソースについての前記時間位置情報は、直交周波数分割多重(OFDM)シンボル、ミニスロット、スロット、サブフレーム、または持続期間がH個の基本時間ユニットである時間セグメント、のうちの1つまたは複数を含み、Hは0より大きい、請求項1から5のいずれか一項に記載の方法。
【請求項７】
前記ランダムアクセスリソースが位置する前記スロットは、サブキャリア間隔に関連がある、請求項4または5に記載の方法。
【請求項８】
ダウンリンク信号指示情報および/またはダウンリンク信号セット周期性情報を受信するステップ、ならびに前記ダウンリンク信号についての前記時間位置情報を取得するステップ
をさらに含む、請求項1から7のいずれか一項に記載の方法。
【請求項９】
前記ダウンリンク信号についての前記時間位置情報は、スロット、直交周波数分割多重(OFDM)シンボル、またはアップリンクもしくはダウンリンクガード期間、の1つまたは複数を含む、請求項1から8のいずれか一項に記載の方法。
【請求項１０】
半持続的スケジューリング信号についての時間位置と前記ランダムアクセスリソースについての前記時間位置が重なり合うと決定される場合、ランダムアクセスのために前記重なり合うリソースを優先的に使用するステップをさらに含む、請求項1から9のいずれか一項に記載の方法。
【請求項１１】
通信システムのためのランダムアクセス方法であって、
ランダムアクセスリソースについての時間位置情報、およびダウンリンク信号についての時間位置情報に基づいて、実際に利用可能なランダムアクセスリソースを決定するステップであって、前記実際に利用可能なランダムアクセスリソースについての時間位置は、前記ダウンリンク信号についての前記時間位置と重なり合わない、ステップと、
前記実際に利用可能なランダムアクセスリソースに基づいて、端末によって送信されたランダムアクセスプリアンブルを受信するステップと
を含む、方法。
【請求項１２】
ランダムアクセス構成インデックスを送信するステップであって、前記ランダムアクセス構成インデックスは、前記ランダムアクセスリソースについての前記時間位置情報を示すために使用される、ステップをさらに含む、請求項11に記載の方法。
【請求項１３】
ランダムアクセスプリアンブルサブキャリア間隔を送信するステップであって、前記ランダムアクセスプリアンブルサブキャリア間隔は、前記ランダムアクセスリソースについての前記時間位置情報を示すために使用される、ステップをさらに含む、請求項11または12に記載の方法。
【請求項１４】
前記ダウンリンク信号についての前記時間位置と前記ランダムアクセスリソースについての前記時間位置が重なり合うと決定される場合、前記重なり合うリソース上で前記ランダムアクセスプリアンブルを受信しないステップ
をさらに含む、請求項11から13のいずれか一項に記載の方法。
【請求項１５】
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソース上でも前記ランダムアクセスプリアンブルを受信しないステップをさらに含む、請求項11から14のいずれか一項に記載の方法。
【請求項１６】
前記ランダムアクセスリソースについての前記時間位置情報は、直交周波数分割多重OFDMシンボル、ミニスロット、スロット、サブフレーム、または持続期間がH個の基本時間ユニットである時間セグメント、のうちの1つまたは複数を含み、Hは0より大きい、請求項11から15のいずれか一項に記載の方法。
【請求項１７】
前記ランダムアクセスリソースが位置する前記スロットは、サブキャリア間隔に関連がある、請求項15に記載の方法。
【請求項１８】
ダウンリンク信号指示情報および/またはダウンリンク信号セット周期性情報を送信するステップであって、前記ダウンリンク信号指示情報または前記ダウンリンク信号セット周期性情報は、前記ダウンリンク信号についての前記時間位置情報を示すために使用される、ステップ
を含む、請求項11から17のいずれか一項に記載の方法。
【請求項１９】
前記ダウンリンク信号についての前記時間位置情報は、スロット、直交周波数分割多重OFDMシンボル、またはアップリンクもしくはダウンリンクガード期間、のうちの1つまたは複数を含む、請求項11から18のいずれか一項に記載の方法。
【請求項２０】
構成情報を送信するステップであって、前記ランダムアクセスリソースが位置する前記スロットが、ランダムアクセスメッセージ1のサブキャリア間隔に関連があること、前記ランダムアクセスリソースが位置する前記スロットが、ランダムアクセスメッセージ3のサブキャリア間隔に関連があること、前記ランダムアクセスリソースが位置する前記スロットが、アップリンク初期アクセス帯域幅のサブキャリア間隔に関連があること、前記ランダムアクセスリソースが位置する前記スロットが、ダウンリンク信号のサブキャリア間隔に関連があること、または前記ランダムアクセスリソースが位置する前記スロットの長さ、のうちの1つまたは複数を前記構成情報が示す、ステップ
を含む、請求項15から17のいずれか一項に記載の方法。
【請求項２１】
前記ダウンリンク信号は、同期信号ブロックである、請求項11から20のいずれか一項に記載の方法。
【請求項２２】
セミ・パーシステント・スケジューリング信号についての時間位置と前記ランダムアクセスリソースについての前記時間位置が重なり合うと決定される場合、ランダムアクセスのために前記重なり合うリソースを優先的に使用するステップをさらに含む、請求項11から21のいずれか一項に記載の方法。
【請求項２３】
通信システムのための装置であって、
ランダムアクセスリソースについての時間位置情報、およびダウンリンク信号についての時間位置情報に基づいて、実際に利用可能なランダムアクセスリソースを決定するように構成された決定モジュールであって、前記実際に利用可能なランダムアクセスリソースについての時間位置は、前記ダウンリンク信号についての前記時間位置と重なり合わない、決定モジュールと、
前記実際に利用可能なランダムアクセスリソースに基づいて、ランダムアクセスプリアンブルをネットワークデバイスに送信するように構成された送信モジュールと
を備える、装置。
【請求項２４】
ランダムアクセス構成インデックスを受信することを行うように構成された受信モジュールをさらに備え、
前記決定モジュールは、前記ランダムアクセス構成インデックスに基づいて、前記ランダムアクセスリソースについての前記時間位置情報を取得するように構成される
請求項23に記載の装置。
【請求項２５】
ランダムアクセスプリアンブルサブキャリア間隔を取得することを行うように構成された受信モジュールをさらに備え、
前記決定モジュールは、前記ランダムアクセスプリアンブルサブキャリア間隔に基づいて、前記ランダムアクセスリソースについての前記時間位置情報を決定するように構成される
請求項23または24に記載の装置。
【請求項２６】
前記決定モジュールは、
前記ダウンリンク信号についての前記時間位置と前記ランダムアクセスリソースについての前記時間位置が重なり合うと決定する場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソースも使用せずに前記ランダムアクセスプリアンブルを送信することを決定すること
を行うように構成される、請求項23から25のいずれか一項に記載の装置。
【請求項２７】
前記決定モジュールは、
前記ダウンリンク信号についての前記時間位置と時間位置が重なり合う前記ランダムアクセスリソースをパンクチャすることを決定すること、または
前記ダウンリンク信号についての前記時間位置と時間位置が重なり合う前記ランダムアクセスリソース、および前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置する前記スロット内にある全てのランダムアクセスリソースをパンクチャすることを決定すること、または
前記ダウンリンク信号についての前記時間位置と時間位置が重なり合う前記ランダムアクセスリソースが位置する前記スロット内の全てのランダムアクセスリソースをパンクチャすることを決定すること
を行うように構成される、請求項26に記載の装置。
【請求項２８】
前記ランダムアクセスリソースについての前記時間位置情報は、前記ランダムアクセスリソースが位置するサブフレーム、スロット、または直交周波数分割多重シンボルを含む、請求項23から27のいずれか一項に記載の装置。
【請求項２９】
前記ランダムアクセスリソースが位置する前記スロットは、サブキャリア間隔に関連がある、請求項26から28のいずれか一項に記載の装置。
【請求項３０】
前記受信モジュールは、
ダウンリンク信号指示情報および/またはダウンリンク信号セット周期性情報を受信すること、ならびに前記ダウンリンク信号についての前記時間位置情報を取得すること
を行うように構成される、請求項24または25に記載の装置。
【請求項３１】
前記ダウンリンク信号についての前記時間位置情報は、直交周波数分割多重OFDMシンボル、ミニスロット、スロット、サブフレーム、または持続期間がH個の基本時間ユニットである時間セグメント、のうちの1つまたは複数を含み、Hは0より大きい、請求項23から30のいずれか一項に記載の装置。
【請求項３２】
前記決定モジュールは、
セミ・パーシステント・スケジューリング信号についての時間位置と前記ランダムアクセスリソースについての前記時間位置が重なり合うと決定する場合、ランダムアクセスのために前記重なり合うリソースを優先的に使用することを決定すること
を行うように構成される、請求項23から31のいずれか一項に記載の装置。
【請求項３３】
通信システムのための装置であって、
ランダムアクセスリソースについての時間位置情報、およびダウンリンク信号についての時間位置情報に基づいて、実際に利用可能なランダムアクセスリソースを決定するように構成された決定モジュールであって、前記実際に利用可能なランダムアクセスリソースについての時間位置は、前記ダウンリンク信号についての前記時間位置と重なり合わない、決定モジュールと、
前記実際に利用可能なランダムアクセスリソースに基づいて、端末によって送信されたランダムアクセスプリアンブルを受信するように構成された受信モジュールと
を備える、装置。
【請求項３４】
ランダムアクセス構成インデックスを送信することであって、前記ランダムアクセス構成インデックスは、前記ランダムアクセスリソースについての前記時間位置情報を示すために使用される、送信すること
を行うように構成された送信モジュールをさらに備える、
請求項33に記載の装置。
【請求項３５】
ランダムアクセスプリアンブルサブキャリア間隔を送信することであって、前記ランダムアクセスプリアンブルサブキャリア間隔は、前記ランダムアクセスリソースについての前記時間位置情報を示すために使用される、送信すること
を行うように構成される送信モジュールをさらに備える
請求項33または34に記載の装置。
【請求項３６】
前記決定モジュールは、
前記ダウンリンク信号についての前記時間位置と前記ランダムアクセスリソースについての前記時間位置が重なり合うと決定する場合、前記重なり合うリソース上で前記ランダムアクセスプリアンブルを受信しないことを決定すること
を行うように構成される、請求項33から35のいずれか一項に記載の装置。
【請求項３７】
前記送信モジュールは、
前記ダウンリンク信号についての前記時間位置と前記ランダムアクセスリソースについての前記時間位置が重なり合うと決定される場合、前記ダウンリンク信号についての前記時間位置と時間位置が重なり合う前記ランダムアクセスリソースの前にあり、前記ダウンリンク信号についての前記時間位置と時間位置が重なり合う前記ランダムアクセスリソースが位置するスロット内にあるいずれのランダムアクセスリソース上でも前記ランダムアクセスプリアンブルを受信しないこと
を行うように構成される、請求項34または35に記載の装置。
【請求項３８】
前記ランダムアクセスリソースについての前記時間位置情報は、直交周波数分割多重(OFDM)シンボル、ミニスロット、スロット、サブフレーム、または持続期間がH個の基本時間ユニットである時間セグメント、のうちの1つまたは複数を含み、Hは0より大きい、請求項34から37のいずれか一項に記載の装置。
【請求項３９】
前記ランダムアクセスリソースが位置する前記スロットは、サブキャリア間隔に関連がある、請求項37に記載の装置。
【請求項４０】
前記送信モジュールは、
ダウンリンク信号指示情報および/またはダウンリンク信号セット周期性情報を送信することであって、前記ダウンリンク信号指示情報または前記ダウンリンク信号セット周期性情報は、前記ダウンリンク信号についての前記時間位置情報を示すために使用される、送信すること
を行うように構成される、請求項34, 35, 37, 38, 39のいずれか一項に記載の装置。
【請求項４１】
前記ダウンリンク信号についての前記時間位置情報は、スロット、直交周波数分割多重(OFDM)シンボル、またはアップリンクもしくはダウンリンクガード期間、のうちの1つまたは複数を含む、請求項33から40のいずれか一項に記載の装置。
【請求項４２】
前記送信モジュールは、
構成情報を送信することであって、前記ランダムアクセスリソースが位置する前記スロットが、ランダムアクセスメッセージ1のサブキャリア間隔に関連があること、前記ランダムアクセスリソースが位置する前記スロットが、ランダムアクセスメッセージ3のサブキャリア間隔に関連があること、前記ランダムアクセスリソースが位置する前記スロットが、アップリンク初期アクセス帯域幅のサブキャリア間隔に関連があること、前記ランダムアクセスリソースが位置する前記スロットが、ダウンリンク信号のサブキャリア間隔に関連があること、または前記ランダムアクセスリソースが位置する前記スロットの長さ、のうちの1つまたは複数を前記構成情報が示す、送信すること
を行うように構成され、請求項34から41のいずれか一項に記載の装置。
【請求項４３】
前記ダウンリンク信号は、同期信号ブロックである、請求項33から42のいずれか一項に記載の装置。
【請求項４４】
前記決定モジュールは、
セミ・パーシステント・スケジューリング信号についての時間位置と前記ランダムアクセスリソースについての前記時間位置が重なり合うと決定する場合、ランダムアクセスのために前記重なり合うリソースを優先的に使用することを決定すること
を行うように構成される、請求項33から43のいずれか一項に記載の装置。
【請求項４５】
コンピュータ可読記録媒体であって、前記コンピュータ可読記録媒体が命令を格納し、前記命令がコンピュータ上で実行されると、前記コンピュータは、請求項1から10のいずれか一項に記載の方法を行うことを可能にされ、または前記コンピュータは、請求項11から22のいずれか一項に記載の方法を行うことを可能にされる、コンピュータ可読記録媒体。
【国際調査報告】
2020529756.tif 000054
2020529756.tif 000055
2020529756.tif 000056
2020529756.tif 000057